(57)【特許請求の範囲】
【請求項１】
少なくとも一つの接続検知装置と接続する検知装置接続部と、
前記接続検知装置と回覧装置との間の接続状況を記憶する情報記憶部と、
前記接続検知装置と前記回覧装置との間の前記接続状況を前記接続検知装置から受信したとき、前記接続状況を前記情報記憶部へ記憶させる情報管理部と、
問い合わせに応じて前記接続状況を出力する出力部と、
を備え、
前記情報記憶部は、
さらに、各世帯の世帯情報に対応する位置情報を記憶し、
前記情報管理部は、
前記回覧装置から前記位置情報を受信したとき、前記位置情報に対応する前記世帯情報を特定し、
前記出力部は、
前記問い合わせに応じて前記世帯情報を出力する
ことを特徴とする回覧情報管理装置。
【請求項２】
前記情報管理部は、
前記回覧装置からの前記位置情報を送信した前記接続検知装置の識別情報と、前記位置情報に対応する前記世帯情報とを対応付けて前記情報記憶部に記憶させ、
前記回覧装置から前記位置情報を受信し、かつ、前記位置情報を送信した前記接続検知装置の前記識別情報に対応する前記世帯情報が前記情報記憶部に記憶されているとき、前記位置情報を送信した前記接続検知装置の前記識別情報に対応する前記世帯情報を、前記位置情報に対応する前記世帯情報として特定する
ことを特徴とする請求項１に記載の回覧情報管理装置。
【請求項３】
少なくとも一つの接続検知装置と接続する検知装置接続部と、
前記接続検知装置と回覧装置との間の接続状況を記憶する情報記憶部と、
前記接続検知装置と前記回覧装置との間の前記接続状況を前記接続検知装置から受信したとき、前記接続状況を前記情報記憶部へ記憶させる情報管理部と、
問い合わせに応じて前記接続状況を出力する出力部と、
を備え、
前記情報管理部は、
前記回覧装置の回覧先世帯を示す回覧先情報を前記回覧装置から受信したとき、前記回覧先情報をさらに前記情報記憶部に記憶させ、
前記回覧装置から前記回覧先情報の変更通知を受信したとき、前記情報記憶部の前記回覧先情報を変更する
ことを特徴とする回覧情報管理装置。
【請求項４】
前記回覧先情報は、回覧順序の情報を含む
ことを特徴とする請求項３に記載の回覧情報管理装置。
【請求項５】
インターネットと接続するインターネット接続部をさらに備え、
前記出力部は、前記インターネット接続部経由で前記接続状況を出力する
ことを特徴とする請求項１から請求項４のいずれかに記載の回覧情報管理装置。
【請求項６】
請求項１から請求項５のいずれかに記載の回覧情報管理装置と、
前記接続検知装置と、
前記回覧装置と
を備えることを特徴とする回覧情報管理システム。
【請求項７】
少なくとも一つの接続検知装置と接続し、
前記接続検知装置と回覧装置との間の接続状況を前記接続検知装置から受信したとき、前記接続状況を記憶し、
問い合わせに応じて前記接続状況を出力し、
さらに、各世帯の世帯情報に対応する位置情報を記憶し、
前記回覧装置から前記位置情報を受信したとき、前記位置情報に対応する前記世帯情報を特定し、
前記問い合わせに応じて前記世帯情報を出力する
ことを特徴とする回覧情報管理方法。
【請求項８】
少なくとも一つの接続検知装置と接続し、
前記接続検知装置と回覧装置との間の接続状況を前記接続検知装置から受信したとき、前記接続状況を記憶し、
問い合わせに応じて前記接続状況を出力し、
前記回覧装置の回覧先世帯を示す回覧先情報を前記回覧装置から受信したとき、前記回覧先情報をさらに記憶し、
前記回覧装置から前記回覧先情報の変更通知を受信したとき、前記記憶した前記回覧先情報を変更する
ことを特徴とする回覧情報管理方法。
【発明の詳細な説明】
【技術分野】
【０００１】
本発明は、回覧板の回覧状況を管理する、回覧情報管理装置、接続検知装置、回覧情報管理システム、方法およびプログラムに関する。
【背景技術】
【０００２】
回覧板は、地域社会において多く利用されている情報伝達手段である。回覧板は主に紙を基本とした物理媒体であるため、在宅状況等により回覧板の回覧スピードが遅くなったり、途中で止まってしまったりすることがある。そのため、回覧板が届いたときにはすでに回覧板が告知する行事が終わっている場合や、管理者の元に回覧板が戻る前に回覧内容に対する回答期限が過ぎてしまう場合がある。
【０００３】
回覧板の管理者が、どの世帯が回覧板を持っているかを把握できれば、回覧板を持っている世帯に対して、次への回覧を促すことが可能である。しかし、回覧板の管理者は、一度回覧板を回覧に出すと、回覧板が戻ってくるまで、回覧状況を容易に把握することができない。回覧状況を把握するには、各世帯に回覧板が回ったかを聞いて回るなどの手間がかかる。
【０００４】
これに対して、特許文献１の方法のように、回覧情報を電子的に伝達する方法がある。たとえば、特許文献１に記載の方法では、物理媒体の回覧板を使用せず、住区イントラネットシステムを介して回覧情報を電子的に伝達する。この方法では、回覧情報を各世帯に一斉に伝達することが可能なため、回覧情報を速やかに提供することが可能になる。
【先行技術文献】
【特許文献】
【０００５】
【特許文献１】特開平１０−２２９４１３号公報
【発明の概要】
【発明が解決しようとする課題】
【０００６】
しかし、特許文献１に記載の方法のように、回覧情報を電子的に伝達する方法は、お年寄りをはじめとして、パーソナルコンピュータやタブレット端末等の電子機器の使用に慣れていない世帯では、利用することが困難である。そのため、電子的な情報伝達手段よりも、紙による回覧板のような物理媒体による情報伝達手段の方が、依然、より多くの人に情報を伝達する手段としては有効である。
【０００７】
したがって、物理媒体の回覧板の回覧状況を容易に把握することができれば、便利である。
【０００８】
本発明の目的は、回覧板の回覧状況を容易に把握することを可能とする、回覧情報管理装置、接続検知装置、回覧情報管理システム、方法およびプログラムを提供することにある。
【課題を解決するための手段】
【０００９】
上述の問題を解決するために、本発明の回覧情報管理装置は、少なくとも一つの接続検知装置と接続する検知装置接続部と、前記接続検知装置と回覧装置との間の接続状況を記憶する情報記憶部と、前記接続検知装置と前記回覧装置との間の前記接続状況を前記接続検知装置から受信したとき、前記接続状況を前記情報記憶部へ記憶させる情報管理部と、問い合わせに応じて前記接続状況を出力する出力部と、を備えることを特徴とする。
【００１０】
また、本発明の接続検知装置は、回覧装置と接続する第一の接続部と、回覧情報管理装置と接続する第二の接続部と、前記回覧装置との前記接続が確立したとき、前記回覧装置との前記接続が確立した旨の接続状況を前記回覧情報管理装置へ送信する接続状況送信部とを備えることを特徴とする。
【００１１】
また、本発明の回覧情報管理方法は、少なくとも一つの接続検知装置と接続し、前記接続検知装置と回覧装置との間の接続状況を前記接続検知装置から受信したとき、前記接続状況を記憶する前記情報記憶部へ前記接続状況を記憶させ、問い合わせに応じて前記接続状況を出力することを特徴とする。
【００１２】
また、本発明の接続検知方法は、回覧装置と接続し、回覧情報管理装置と接続し、前記回覧装置との前記接続が確立したとき、前記回覧装置との前記接続が確立した旨の接続状況を前記回覧情報管理装置へ送信することを特徴とする。
【発明の効果】
【００１３】
本発明の回覧情報管理装置、接続検知装置、回覧情報管理システム、方法およびプログラムにより、回覧板の回覧状況を容易に把握することが可能になる。
【図面の簡単な説明】
【００１４】
【図１】本発明の第一の実施形態の接続検知装置および回覧情報管理装置の構成例を示す図である。
【図２】本発明の第一の実施形態の接続検知装置の動作例を示す図である。
【図３】本発明の第一の実施形態の回覧情報管理装置の動作例を示す図である。
【図４】本発明の第二の実施形態の回覧情報管理システムの構成例を示す図である。
【図５】本発明の第二の実施形態の回覧装置の構成例を示す図である。
【図６】本発明の第二の実施形態の接続検知装置の動作例を示す図である。
【図７】本発明の第二の実施形態の回覧情報管理システムの動作例を示す図である。
【図８】本発明の第三の実施形態の回覧情報管理装置の構成例を示す図である。
【図９】本発明の第四の実施形態の接続検知装置の構成例を示す図である。
【図１０】本発明の第四の実施形態の接続検知装置の構成例を示す図である。
【図１１】本発明の第五の実施形態の回覧装置の構成例を示す図である。
【図１２】本発明の第五の実施形態の接続検知装置の構成例を示す図である。
【図１３】本発明の第五の実施形態の回覧情報管理装置の動作例を示す図である。
【図１４】本発明の第六の実施形態の回覧装置の構成例を示す図である。
【図１５】本発明の第六の実施形態の回覧情報管理システムの動作例を示す図である。
【図１６】本発明の第六の実施形態の回覧情報管理システムの動作例を示す図である。
【図１７】本発明の第七の実施形態の回覧情報管理システムの構成例を示す図である。
【図１８】本発明の第七の実施形態の回覧情報管理システムの動作例を示す図である。
【図１９】本発明の第八の実施形態の回覧装置の構成例を示す図である。
【図２０】本発明の第八の実施形態の回覧情報管理システムの動作例を示す図である。
【図２１】本発明の各実施形態のハードウェア構成例を示す図である。
【発明を実施するための形態】
【００１５】
［第一の実施形態］
本発明の第一の実施の形態について説明する。
【００１６】
図１に本実施形態の接続検知装置１０および回覧情報管理装置２０の構成例を示す。
【００１７】
接続検知装置１０は、第一の接続部１１、第二の接続部１２および接続状況送信部１３により構成される。
【００１８】
第一の接続部１１は、回覧装置３０と接続する部分である。第二の接続部１２は、回覧情報管理装置２０と接続する部分である。接続状況送信部１３は、回覧装置３０との接続が確立したとき、回覧装置３０との接続が確立した旨の接続状況を回覧情報管理装置２０へ送信する部分である。
【００１９】
また、回覧情報管理装置２０は、検知装置接続部２１、情報管理部２２、情報記憶部２３および出力部２４により構成される。
【００２０】
検知装置接続部２１は、少なくとも一つの接続検知装置１０と接続する部分である。情報記憶部２３は、接続検知装置１０と回覧装置３０との間の接続状況を記憶する部分である。情報管理部２２は、接続検知装置１０と回覧装置３０との間の接続状況を接続検知装置１０から受信したとき、接続状況を情報記憶部２３へ記憶させる部分である。出力部２４は、問い合わせに応じて接続状況を出力する部分である。
【００２１】
このように接続検知装置１０および回覧情報管理装置２０を構成することによって、接続検知装置１０は、回覧装置３０との接続が確立したとき、回覧情報管理装置２０へ接続が確立した旨の接続状況を送信する。そして、接続状況を受信した回覧情報管理装置２０は接続状況を情報記憶部２３に記憶させる。これにより、回覧情報管理装置２０はどの接続検知装置１０の近くに回覧装置３０が存在するのかを把握することが可能になり、問い合わせに応じて回覧装置３０が接続する接続検知装置１０の情報を出力することが可能になる。そのため、利用者は、回覧情報管理装置２０へ回覧装置３０が接続する接続検知装置１０の情報を問い合わせることによって、回覧装置３０（回覧板）の回覧状況を容易に把握することが可能になる。
【００２２】
次に、図２に本実施形態の接続検知装置１０の、図３に本実施形態の回覧情報管理装置２０の動作の例を示す。
【００２３】
接続検知装置１０は、回覧装置３０との接続が確立したとき（ステップＳ１０１）、回覧装置との接続が確立した旨の接続状況を回覧情報管理装置へ送信する（ステップＳ１０２）。また、回覧情報管理装置２０は、接続状況を接続検知装置１０から受信したとき（ステップＳ２０１）、接続情報を情報記憶部２３へ記憶させる（ステップＳ２０２）。そして、問い合わせに応じて（ステップＳ２０３）、接続状況を出力する（ステップＳ２０４）。
【００２４】
このように接続検知装置１０および回覧情報管理装置２０を動作させることによって、回覧板の回覧状況を容易に把握することが可能になる。
【００２５】
以上で説明したように、本発明の第一の実施形態では、接続検知装置１０は、回覧装置３０との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置３０が接続する接続検知装置１０の情報を問い合わせることによって、回覧装置３０（回覧板）の回覧状況を容易に把握することが可能になる。
【００２６】
［第二の実施形態］
次に、本発明の第二の実施の形態について説明する。本実施形態では、第一の実施形態の接続検知装置１０および回覧情報管理装置２０について、さらに具体的に説明する。
【００２７】
図４に本実施形態の回覧情報管理システムの構成例を示す。図４のシステムは、回覧情報管理装置２０、管理サーバ１、親局２、子局１０１Ａ、子局１０１Ｂ、子局１０１Ｃおよび回覧装置３０を備える。
【００２８】
回覧装置３０は、回覧板の物理媒体に付加して用いる装置である。たとえば、紙を媒体とする回覧板のバインダーやケース等に回覧装置３０を付加、あるいは、回覧装置３０の各機能を回覧板のバインダーやケース等に埋め込んで回覧装置３０を利用する。また、回覧装置３０は、ＩＣ（Integrated Circuit）チップとしても良いし、小型薄型の情報処理装置（コンピュータ）としても良い。
【００２９】
回覧情報管理装置２０は、回覧板に関する情報を管理する装置である。回覧情報管理装置２０は、第一の実施形態の回覧情報管理装置２０に相当する。
【００３０】
子局１０１は、各世帯に配布される情報通信装置である。子局１０１は、第一の実施形態の接続検知装置１０に相当する。本実施形態の子局１０１は、親局２あるいは他の子局１０１とアドホック接続して、既存の事業者と提携、あるいは、自ら提供するアドホックネットワークを構成する。
【００３１】
管理サーバ１および親局２は、回覧情報管理装置２０と各子局１０１との間の通信を中継する装置である。親局２は、管理サーバ１およびアドホックネットワークを構成する子局１０１と通信を行う。管理サーバ１は、回覧情報管理装置２０との通信、および、親局２および子局１０１から成るアドホックネットワークの管理等を行う。
【００３２】
次に、図５に回覧装置３０の構成例を示す。回覧装置３０は、無線通信部３１および制御部３２により構成される。無線通信部３１は、子局１０１と無線通信を行う部分である。制御部３２は、無線通信部３１の子局１０１への接続制御を行う部分である。制御部３２は、あらかじめ、接続可能な子局１０１の情報を持つ。
【００３３】
次に、図１を用いて子局１０１の構成例について説明する。子局１０１の構成例は、接続検知装置１０の構成例と同様である。子局１０１は、接続検知装置１０は、第一の接続部１１、第二の接続部１２および接続状況送信部１３により構成される。
【００３４】
第一の接続部１１は、回覧装置３０と接続する部分である。第一の接続部１１の通信方式には、回覧装置３０が移動可能であるため、無線ＬＡＮ（Local Area Network）、Ｂｌｕｅｔｏｏｔｈ（登録商標）等の無線通信を使用する。本実施形態では、回覧装置３０がどの子局１０１に接続しているかによって回覧装置３０が存在する世帯を特定する。そのため、子局１０１の第一の接続部１１が回覧装置３０を検知できる範囲は、他の世帯の子局１０１が回覧装置３０を検知できる範囲と重ならないことが望ましい。
【００３５】
第二の接続部１２は、アドホックネットワークを構成する他の子局１０１や親局２および管理サーバ１を介して回覧情報管理装置２０と接続する部分である。第二の接続部１２の通信方式は、子局１０１の設置を容易にするため、無線通信とすると良い。他の子局１０１とアドホックネットワークを構成できるよう、第二の接続部１２の通信方式には、無線ＬＡＮ等の無線通信を使用する。
【００３６】
接続状況送信部１３は、回覧装置３０との接続が確立したとき、回覧装置３０との接続が確立した旨の接続状況を回覧情報管理装置２０へ送信する部分である。また、接続状況送信部１３は、回覧装置３０との接続が切れたとき、回覧装置３０との接続が切れた旨の接続状況を回覧情報管理装置２０へ送信する。
【００３７】
次に、図１を用いて、回覧情報管理装置２０の構成例について説明する。本実施形態の回覧情報管理装置２０の構成例は、第一の実施形態の回覧情報管理装置２０の構成例と同様である。回覧情報管理装置２０は、検知装置接続部２１、情報管理部２２、情報記憶部２３および出力部２４により構成される。
【００３８】
検知装置接続部２１は、管理サーバ１や親局２を介して、少なくとも一つの子局１０１と接続する部分である。情報記憶部２３は、接続検知装置１０に関する情報を記憶する部分である。情報管理部２２は、子局１０１と回覧装置３０との間の接続の確立あるいは切断を示す接続状況を子局１０１から受信したとき、子局１０１の識別情報と接続状況とを対応付けて情報記憶部２３へ記憶させる部分である。出力部２４は、問い合わせに応じて、回覧装置３０の接続状況を出力する部分である。
【００３９】
このように子局１０１（接続検知装置１０）および回覧情報管理装置２０を構成することによって、子局１０１は、回覧装置３０との接続が確立したとき、回覧情報管理装置２０へ接続が確立した旨の接続状況を送信する。そして、接続状況を受信した回覧情報管理装置２０は接続状況を情報記憶部２３に記憶させる。これにより、回覧情報管理装置２０はどの子局１０１の近くに回覧装置３０が存在するのかを把握することが可能になり、問い合わせに応じて回覧装置３０が接続する接続検知装置１０の情報を出力することが可能になる。そのため、利用者は、回覧情報管理装置２０へ回覧装置３０が接続する子局１０１の情報を問い合わせることによって、回覧装置３０（回覧板）の回覧状況を容易に把握することが可能になる。
【００４０】
次に、図６および図３を用いて、本実施形態の子局１０１（接続検知装置１０）および回覧情報管理装置２０の動作例について説明する。
【００４１】
子局１０１Ｂが設置された世帯が回覧板を受け取ると、回覧板に付加された回覧装置３０が子局１０１Ｂの接続可能範囲に入り、子局１０１Ｂに接続可能となる。そして、子局１０１Ｂは、回覧装置３０との接続が確立すると（図６のステップＳ１０１）、子局１０１Ｂに回覧装置３０が接続した旨の接続状況を回覧情報管理装置２０へ向けて送信する（ステップＳ１０２）。このとき、回覧装置３０の通信動作は、接続確立動作だけとし、他の通信動作は不要としてもよい。
【００４２】
回覧情報管理装置２０は、子局１０１Ｂと回覧装置３０との接続が確立した旨の接続状況を受信すると（図３のステップＳ２０１）、接続状況を情報記憶部２３に記憶させる（ステップＳ２０２）。これにより、回覧装置３０が子局１０１Ｂと接続していることが情報記憶部２３に記憶される。この状態で利用者が回覧情報管理装置２０に問い合わせを行うと（ステップＳ２０３）、回覧情報管理装置２０は問い合わせに応じて接続状況を出力する（ステップＳ２０４）。このようにして、利用者は子局１０１Ｂが設置されている世帯に回覧装置３０があることを把握することができる。
【００４３】
回覧装置３０が存在する世帯を利用者にわかりやすく提供するためには、回覧装置３０と接続中の子局１０１が設置されている世帯の世帯情報を出力するようにすると良い。世帯情報は、たとえば、世帯を一意に特定する世帯ＩＤ（identification）、世帯主名、住所、部屋番号などである。
【００４４】
たとえば、回覧情報管理装置２０あるいは管理サーバ１に世帯情報と子局１０１の識別情報（ＭＡＣ（Media Access Control）アドレスなど）の対応関係（世帯ＩＤリスト）を記憶させておく。そして、回覧情報管理装置２０が、回覧装置３０と接続中の子局１０１の識別情報から世帯情報を特定する方法が考えられる。対応する世帯情報を子局１０１に記憶させておき、子局１０１が接続状況とともに世帯情報を送信するようにしても良い。
【００４５】
回覧装置３０が移動して子局１０１Ｂの接続可能範囲から出ると、回覧装置３０と子局１０１Ｂとの接続が切れる。子局１０１Ｂは、回覧装置３０との接続が切れると（図６のステップＳ１０３）、回覧装置３０との接続が切れた旨の接続状況を回覧情報管理装置２０へ送信する（ステップＳ１０４）。
【００４６】
回覧情報管理装置２０は、子局１０１Ｂと回覧装置３０との接続が切れた旨の接続状況を受信すると（ステップＳ２０１）、接続状況を情報記憶部２３に記憶させる（ステップＳ２０２）。これにより、回覧装置３０と子局１０１Ｂとの接続が切れたことが情報記憶部２３に記憶される。
【００４７】
回覧装置３０が移動して子局１０１Ｃの接続可能範囲に入ると、回覧装置３０と子局１０１Ｃとの接続が確立した旨の接続状況が回覧情報管理装置２０へ送信され、回覧情報管理装置２０は情報記憶部２３に接続状況を記憶させる。
【００４８】
なお、セキュリティを考慮して、回覧装置３０が子局１０１に接続する際、子局１０１で回覧装置３０のＭＡＣアドレスや装置ＩＤを確認し、あらかじめ登録されている回覧装置３０のみを接続可能としてもよい。
【００４９】
また、子局１０１は、接続確立直後に接続確立を示す接続状況を送信しても良いし、接続確立の誤検知を防止するために、接続確立から所定時間経過後に接続状況を送信してもよい。また、回覧装置３０上にキーを設け、利用者が回覧板を受け取ったときや、回覧の内容を確認したときにキーを押下すると、接続状況を送信するようにしてもよい。また、接続確立時の接続状況は、回覧装置３０から送信しても良い。
【００５０】
また、回覧装置３０から送信された接続状況を何らかの要因で回覧情報管理装置２０が受信できない場合も考えられる。この場合を考慮して、回覧情報管理装置２０から子局１０１へ定期的に接続確認を送信し、子局１０１あるいは回覧装置３０が回覧装置３０の接続状況を回覧情報管理装置２０へ応答するようにしても良い。子局１０１と回覧装置３０が接続していない場合は、接続している回覧装置３０がない旨の接続状況を子局１０１が応答しても良いし、無応答としても良い。また、この場合の接続確認は、ブロードキャストで送信しても、ユニキャストで送信しても良い。
【００５１】
さらに、接続確立あるいは接続切断の誤検知を防止するために、回覧情報管理装置２０が子局１０１へ定期的に接続確認を送信し、接続確立を示す接続状況を受信後に、接続中を示す応答を一定回数以上受信した場合に接続確立と判断しても良い。また、接続切断を示す接続状況を受信後に、接続切断中を示す応答を一定回数以上受信した場合、あるいは、一定回数以上回覧装置３０から応答がない場合に接続切断と判断しても良い。
【００５２】
次に、図７に、子局１０１と回覧装置３０との接続が確立したとき、および、接続が切れたときのシーケンスの例を示す。
【００５３】
回覧装置３０が子局１０１の接続可能範囲に入ったとき、回覧装置３０と子局１０１との接続が確立する（ステップＳ３０１）。回覧装置３０と子局１０１との接続が確立すると、子局１０１は接続が確立した旨の接続状況を回覧情報管理装置２０へ送信する（ステップＳ３０２）。接続状況を受信した親局２は、接続状況を管理サーバ１へ転送する（ステップＳ３０３）。また、接続状況を受信した管理サーバ１は、接続状況を回覧情報管理装置２０へ転送する（ステップＳ３０４）。接続状況を受信した回覧情報管理装置２０は、接続状況と子局１０１の識別情報を情報記憶部２３に記憶させる（ステップＳ３０５）。
【００５４】
接続状況には、子局１０１の識別情報、および、回覧装置３０の識別情報を含む。そのため、回覧情報管理装置２０では、どの子局１０１とどの回覧装置３０との接続が確立したのかを把握することができる。
【００５５】
そして、回覧装置３０が子局１０１の接続可能範囲から出たとき、回覧装置３０と子局１０１との接続が切れる（ステップＳ３０６）。回覧装置３０と子局１０１との接続が切れると、子局１０１は接続が切れた旨の接続状況を回覧情報管理装置２０へ送信する（ステップＳ３０７）。接続状況を受信した親局２は、接続状況を管理サーバ１へ転送する（ステップＳ３０８）。また、接続状況を受信した管理サーバ１は、接続状況を回覧情報管理装置２０へ転送する（ステップＳ３０９）。接続状況を受信した回覧情報管理装置２０は、接続状況と子局１０１の識別情報を情報記憶部２３に記憶させる（ステップＳ３１０）。
【００５６】
なお、ステップＳ３０５やステップＳ３１０において、接続状況を時刻と共に情報記憶部２３に記憶させ、また、過去の接続確立／切断の履歴を残しておくことも可能である。このようにすると、利用者が、回覧板がどの世帯にいつ回覧されたかを把握することが可能になる。また、安否確認において、回覧板が回覧済みの世帯までは無事であると推測することも可能になる。
【００５７】
また、一般に回覧板の最終回覧先（戻り先）は、回覧板の管理者（自治会長や隣保長等）の自宅等である。そのため、回覧装置３０と管理者世帯の子局１０１との接続が確立したとき、情報管理部２２が回覧装置３０を回覧完了と判断して、回覧完了情報を情報記憶部２３に記憶させることも可能である。非回覧中の回覧板が公民館や市役所等で管理されている場合には、管理者世帯の子局１０１の代わりに、公民館や市役所等に設置された子局１０１を使用しても良い。
【００５８】
また、回覧装置３０は、子局１０１（接続検知装置１０）と無線ＬＡＮのアドホックモードで接続する代わりに、インフラストラクチャモードで接続しても良い。たとえば、子局１０１と親局２がアドホックモードで接続し、回覧装置３０と子局１０１がインフラストラクチャモードで接続する場合には、子局１０１は、動作モードを定期的に切り替えることで、いずれの動作モードも利用可能となる。
【００５９】
このように子局１０１（接続検知装置１０）および回覧情報管理装置２０を動作させることによって、子局１０１は、回覧装置３０との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置３０が接続する子局１０１の情報を問い合わせることによって、回覧装置３０（回覧板）の回覧状況を容易に把握することが可能になる。
【００６０】
以上で説明したように、本発明の第二の実施形態では、第一の実施形態と同様に、接続検知装置１０は、回覧装置３０との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置３０が接続する接続検知装置１０の情報を問い合わせることによって、回覧装置３０（回覧板）の回覧状況を容易に把握することが可能になる。
【００６１】
［第三の実施形態］
次に、本発明の第三の実施の形態について説明する。本実施形態では、利用者が回覧情報管理装置の情報を参照する方法について説明する。
【００６２】
利用者が回覧情報管理装置の情報を参照する方法には二つの方法が考えられる。一つ目は、回覧情報管理装置をインターネットに接続し、インターネットに接続可能な情報閲覧端末から回覧情報管理装置の情報にアクセスする方法である。二つ目は、接続検知装置に情報閲覧端末を接続可能にし、接続検知装置経由で情報閲覧端末から回覧情報管理装置の情報にアクセスする方法である。
【００６３】
本実施形態では、一つ目の、インターネット経由で回覧情報管理装置の情報にアクセスする方法について説明する。二つ目の接続検知装置経由でアクセスする方法については、第四の実施形態にて説明する。
【００６４】
まず、図８に、本実施形態の回覧情報管理装置５０の構成例を示す。回覧情報管理装置５０は、検知装置接続部２１、情報管理部２２、情報記憶部２３、出力部５４およびインターネット接続部５５により構成される。図１の回覧情報管理装置２０の構成例に、インターネット接続部５５を追加している。検知装置接続部２１、情報管理部２２および情報記憶部２３については回覧情報管理装置２０と同様のため、説明を省略する。また、接続検知装置１０については図１と同様のため、説明を省略する。
【００６５】
出力部５４は、問い合わせに応じて、情報記憶部２３の情報を出力する部分である。本実施形態では、出力部５４は、インターネット接続部５５経由で情報を出力する。インターネット接続部５５は、インターネット３に接続する部分である。
【００６６】
情報閲覧端末４０は、アプリケーションサービスプロバイダが提供するＡＳＰ（Application Service Provider）ネットワーク４経由でインターネット３に接続可能な端末である。たとえば、スマートフォン、タブレット端末、パーソナルコンピュータ等の情報通信端末がこれに該当する。情報閲覧端末４０はインターネット３経由で回覧情報管理装置５０にアクセスすることで、情報記憶部２３の情報を参照することができる。なお、ＡＳＰネットワークは、携帯電話等の移動体通信事業者が提供するネットワークとすることも可能である。
【００６７】
このように接続検知装置１０および回覧情報管理装置５０を構成することによって、接続検知装置１０は、回覧装置３０との接続が確立したとき、回覧情報管理装置５０へ接続が確立した旨の接続状況を送信する。そして、接続状況を受信した回覧情報管理装置５０は接続状況を情報記憶部２３に記憶させる。そのため、利用者は、回覧情報管理装置５０へ回覧装置３０が接続する接続検知装置１０の情報を問い合わせることによって、回覧装置３０（回覧板）の回覧状況を容易に把握することが可能になる。
【００６８】
また、回覧情報管理装置５０をインターネット３に接続可能にすることにより、利用者は、インターネット３に接続可能な情報閲覧端末４０を使用して回覧情報管理装置５０の情報にアクセスすることが可能になる。
【００６９】
次に、図３を用いて、回覧情報管理装置５０の接続状況出力動作の例について説明する。接続検知装置１０の動作、および、回覧情報管理装置５０の接続状況記憶動作については、第一、第二の実施形態と同様のため説明を省略する。
【００７０】
回覧情報管理装置５０は、インターネット３経由で情報閲覧端末４０から問い合わせを受信すると（ステップＳ２０３）、問い合わせに応じて接続状況を情報閲覧端末４０へ出力する（ステップＳ２０４）。
【００７１】
たとえば、回覧装置３０の最新位置の問い合わせの場合には、回覧装置３０と接続確立中の接続検知装置１０の情報を出力する。接続確立中の接続検知装置１０がない場合には、最近まで接続確立していた接続検知装置１０の情報を出力する。回覧情報管理装置５０が接続検知装置１０と世帯ＩＤや世帯情報との対応関係を記憶している場合には、接続検知装置１０の情報として、世帯ＩＤや世帯情報を出力する。また、たとえば、回覧履歴を閲覧する場合には、過去の接続確立／接続切断の時刻と対応する接続検知装置１０の情報を出力する。
【００７２】
このように接続検知装置１０および回覧情報管理装置５０を動作させることによって、接続検知装置１０は、回覧装置３０との接続が確立したとき、回覧情報管理装置５０へ接続が確立した旨の接続状況を送信する。そして、接続状況を受信した回覧情報管理装置５０は接続状況を情報記憶部２３に記憶させる。そのため、利用者は、回覧情報管理装置５０へ回覧装置３０が接続する接続検知装置１０の情報を問い合わせることによって、回覧装置３０（回覧板）の回覧状況を容易に把握することが可能になる。
【００７３】
また、回覧情報管理装置５０をインターネット３に接続可能にすることにより、利用者は、インターネット３に接続可能な情報閲覧端末４０を使用して回覧情報管理装置５０の情報にアクセスすることが可能になる。
【００７４】
以上で説明したように、本発明の第三の実施形態では、第一および第二の実施形態と同様に、接続検知装置１０は、回覧装置３０との接続が確立したとき、回覧情報管理装置５０へ接続が確立した旨の接続状況を送信する。そして、接続状況を受信した回覧情報管理装置５０は接続状況を情報記憶部２３に記憶させる。そのため、回覧情報管理装置５０へ回覧装置３０が接続する接続検知装置１０の情報を問い合わせることによって、回覧装置３０（回覧板）の回覧状況を容易に把握することが可能になる。
【００７５】
また、回覧情報管理装置５０をインターネット３に接続可能にすることにより、利用者は、インターネット３に接続可能な情報閲覧端末４０を使用して回覧情報管理装置５０の情報にアクセスすることが可能になる。
【００７６】
［第四の実施形態］
次に、本発明の第四の実施の形態について説明する。本実施形態では、利用者が回覧情報管理装置の情報を参照する方法のうち、接続検知装置に情報閲覧端末を接続可能にし、接続検知装置経由で情報閲覧端末から回覧情報管理装置の情報にアクセスする方法について説明する。
【００７７】
まず、図９に本実施形態の接続検知装置６０の構成例を示す。接続検知装置６０は、第一の接続部１１、第二の接続部１２、接続状況送信部１３、第三の接続部６４および中継制御部６５により構成される。図１の接続検知装置１０に対して第三の接続部６４および中継制御部６５を追加している。第一の接続部１１、第二の接続部１２および接続状況送信部１３については接続検知装置１０と同様のため説明を省略する。
【００７８】
第三の接続部６４は、情報閲覧端末４０と接続する部分である。また、中継制御部６５は、回覧情報管理装置２０と情報閲覧端末４０との間の通信データの中継を制御する部分である。情報閲覧端末４０としては、たとえば、スマートフォンやタブレット端末等の情報通信端末を利用可能である。そのため、第三の接続部６４の通信方式は情報閲覧端末４０で利用可能な通信方式、たとえば、無線ＬＡＮやＢｌｕｅｔｏｏｔｈ（登録商標）などを利用可能である。
【００７９】
また、情報閲覧端末４０は、壁などに固定して使用される宅内表示装置であっても良い。その場合、第三の接続部６４の通信方式は無線ではなく有線の通信方式であっても良い。
【００８０】
情報閲覧端末４０については、スマートフォン、タブレット端末、パーソナルコンピュータ等の情報通信端末を利用可能である。たとえば、スマートフォンに、接続検知装置６０へ接続して回覧情報管理装置２０の情報を参照するための回覧板アプリをインストールすることで、情報閲覧端末４０として使用することが可能になる。
【００８１】
また、接続検知装置６０と情報閲覧端末４０の機能を一体化することも可能である。図１０に情報閲覧端末４０と接続検知装置６０とを一体化した接続検知装置７０の構成例を示す。接続検知装置７０は第一の接続部１１、第二の接続部１２、接続状況送信部１３および入出力部７６により構成される。
【００８２】
入出力部７６は、利用者の入力を受け付け、また、情報を出力する部分である。たとえば、タッチパネル、操作キー、キーボード、表示モニタ、ＬＥＤ（Light Emitting Diode）、スピーカ等に相当する。
【００８３】
利用者が回覧情報管理装置２０への問い合わせを入力すると、入出力部７６は第二の接続部１２経由で問い合わせを回覧情報管理装置２０へ送信する。そして、回覧情報管理装置２０は問い合わせに応じた情報を接続検知装置７０へ送信し、入出力部７６はその情報を表示する。
【００８４】
このように接続検知装置６０および回覧情報管理装置２０を構成することによって、接続検知装置６０は、回覧装置３０との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置３０が接続する接続検知装置６０の情報を問い合わせることによって、回覧装置３０（回覧板）の回覧状況を容易に把握することが可能になる。
【００８５】
また、接続検知装置６０は、回覧情報管理装置２０および情報閲覧端末４０と接続し、回覧情報管理装置２０と情報閲覧端末４０との間の通信を中継する。そのため、利用者は、接続検知装置６０に接続可能な情報閲覧端末４０を利用して、回覧情報管理装置２０の情報にアクセスすることが可能になる。
【００８６】
次に、図３を用いて、本実施形態の接続検知装置６０および回覧情報管理装置２０の動作例について説明する。回覧装置３０との接続の確立／切断時の動作は、第一および第二の実施形態と同様のため、説明を省略する。
【００８７】
まず、利用者が回覧板アプリを起動する等で情報閲覧端末４０の使用を開始すると、情報閲覧端末４０は、接続検知装置６０への接続を行う。たとえば、無線ＬＡＮをアドホック通信モードで動作させて、接続検知装置６０とアドホック通信で接続する。
【００８８】
このとき、セキュリティを考慮して、接続検知装置６０は、情報閲覧端末４０のＭＡＣアドレスやＩＭＥＩ（International Mobile Equipment Identity）番号を確認し、あらかじめ登録された情報閲覧端末４０のみを接続可能としても良い。また、接続検知装置６０ではなく、回覧情報管理装置２０で接続可否を判定しても良い。また、回覧情報管理装置２０への接続時にログイン認証を行っても良い。
【００８９】
情報閲覧端末４０が接続検知装置６０経由で回覧情報管理装置２０に対して問い合わせを行うと（ステップＳ２０３）、回覧情報管理装置２０は、問い合わせに応じた情報を情報閲覧端末４０に対して出力する（ステップＳ２０４）。そして、情報閲覧端末４０は接続検知装置６０経由で必要な情報を受信する。
【００９０】
このように接続検知装置６０および回覧情報管理装置２０を動作させることによって、回覧装置３０（回覧板）の回覧状況を容易に把握することが可能になる。
【００９１】
以上で説明したように、本発明の第四の実施形態では、第一から第三の実施形態と同様に、接続検知装置６０は、回覧装置３０との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置３０が接続する接続検知装置６０の情報を問い合わせることによって、回覧装置３０（回覧板）の回覧状況を容易に把握することが可能になる。
【００９２】
また、接続検知装置６０は、回覧情報管理装置２０および情報閲覧端末４０と接続し、回覧情報管理装置２０と情報閲覧端末４０との間の通信を中継する。そのため、利用者は、接続検知装置６０に接続可能な情報閲覧端末４０を利用して、回覧情報管理装置２０の情報にアクセスすることが可能になる。
【００９３】
また、情報閲覧端末４０および情報閲覧端末４０と接続可能な接続検知装置６０を各世帯に配布することにより、インターネットへの接続回線を持たない世帯であっても、回覧情報管理装置２０が管理する情報にアクセスすることが可能になる。
【００９４】
［第五の実施形態］
次に、本発明の第五の実施の形態について説明する。本実施形態は、利用者が回覧板に対する回答や安否情報を、回覧装置３０を用いて回覧情報管理装置２０に登録することを可能にする形態である。
【００９５】
まず、図１１に本実施形態の回覧装置８０の構成例を示す。回覧装置８０は、無線通信部３１、制御部３２および入出力部８３により構成される。図５の回覧装置３０に対して入出力部８３を追加している。無線通信部３１および制御部３２については図５の説明と同様のため説明を省略する。
【００９６】
入出力部８３は、利用者からの入力を受け付け、また、情報を出力する部分である。たとえは、タッチパネルや、操作キー、キーボード、表示モニタなどがこれに該当する。本実施形態では利用者は入出力部８３経由で回覧板に対する回答や安否情報を入力する。以降、回覧板に対する回答や安否情報のことを回覧回答と呼ぶ。
【００９７】
次に、図１２に本実施形態の接続検知装置９０の構成例を示す。本実施形態の接続検知装置９０は、第一の接続部１１、第二の接続部１２、接続状況送信部１３および回覧情報送受信部９７により構成される。図１の接続検知装置１０に対して回覧情報送受信部９７を追加している。第一の接続部１１、第二の接続部１２および接続状況送信部１３については、第一および第二の実施形態と同様のため、説明を省略する。
【００９８】
回覧情報送受信部９７は、回覧装置８０と回覧情報管理装置２０との間で回覧板に関する情報を送受信する部分である。本実施形態では、回覧装置８０に入力された回覧回答を回覧情報管理装置２０へ送信する。
【００９９】
回覧情報管理装置２０の構成例は図１の回覧情報管理装置２０と同様である。本実施形態では、回覧情報管理装置２０の情報管理部２２は、回覧回答を受信したとき、受信した回覧回答を情報記憶部２３に記憶させる。
【０１００】
このように接続検知装置９０および回覧情報管理装置２０を構成することによって、接続検知装置９０は、回覧装置８０との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置８０が接続する接続検知装置９０の情報を問い合わせることによって、回覧装置８０（回覧板）の回覧状況を容易に把握することが可能になる。
【０１０１】
また、本実施形態の回覧装置８０は、利用者の回覧回答入力を受け付ける機能を備え、また、接続検知装置９０は回覧装置８０に入力された回覧回答を回覧情報管理装置２０へ送信する回覧情報送受信部９７を備える。これにより、利用者は回覧装置８０を使用して回覧回答を回覧情報管理装置２０に登録することが可能になる。そのため、管理者は、回覧板に対する回答や安否情報の入力状況の確認や回答の集計が容易になる。
【０１０２】
次に、図１３を用いて、本実施形態の回覧情報管理装置２０の回覧回答時の動作例について説明する。回覧装置８０と接続検知装置９０との間の接続が確立／切断したときの動作は第一および第二の実施形態と同様のため、説明を省略する。
【０１０３】
回覧装置８０は、回覧情報管理装置２０との接続確立後、利用者が回覧回答を入力したとき、その情報を接続検知装置９０へ送信する。回覧回答を受信した回覧情報送受信部９７は、その情報を回覧情報管理装置２０へ送信する。そして、回答や安否情報を受信した回覧情報管理装置２０は（ステップＳ２０５）、その情報を情報記憶部２３に記憶させる（ステップＳ２０６）。
【０１０４】
このように接続検知装置９０および回覧情報管理装置２０を動作させることによって、回覧装置８０（回覧板）の回覧状況を容易に把握することが可能になる。
【０１０５】
以上で説明したように、本発明の第五の実施形態では、第一から第四の実施形態と同様に、接続検知装置９０は、回覧装置８０との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置８０が接続する接続検知装置９０の情報を問い合わせることによって、回覧装置８０（回覧板）の回覧状況を容易に把握することが可能になる。
【０１０６】
また、本実施形態の回覧装置８０は、利用者の回覧回答入力を受け付ける機能を備え、また、接続検知装置９０は回覧装置８０に入力された回覧回答を回覧情報管理装置２０へ送信する回覧情報送受信部９７を備える。これにより、利用者は回覧装置８０を使用して回覧回答を回覧情報管理装置２０に登録することが可能になる。そのため、管理者は、各世帯を巡回せずに回覧板に対する回答や安否情報を集計することが可能になり、また、入力状況の確認や回答の集計が容易になる。インターネットへの接続回線を持たない世帯であっても、回覧回答を送信することが可能になる。
【０１０７】
また、接続検知装置９０に第四の実施形態のような情報閲覧端末４０を接続可能とする機能を追加することにより、インターネットへの接続回線を持たない世帯であっても、回覧情報管理装置２０が管理する情報にアクセスすることが可能になる。
【０１０８】
［第六の実施形態］
次に、本発明の第六の実施の形態について説明する。本実施形態は、第一から第五の実施形態に対して、回覧板（回覧装置）の回覧先と回覧順序を回覧装置上に表示させる構成を追加する形態である。
【０１０９】
回覧板で回覧される情報には、世帯ごとに必要な情報と不要な情報がある。そのため、本実施形態では、各世帯に必要な情報のみを回覧できるよう、回覧装置上に回覧先と回覧順序を表示させる。また、回覧先と回覧順序を回覧情報管理装置でも管理することで、回覧状況を管理者が把握することを容易にする。
【０１１０】
なお、本実施形態では、回覧板の回覧先と回覧順序を回覧装置に表示させる場合について説明するが、回覧先のみを表示させるようにしても良い。
【０１１１】
まず、本実施形態の回覧装置１００、回覧情報管理装置２０および接続検知装置９０の構成例について説明する。
【０１１２】
図１４に、本実施形態の回覧装置１００の構成例を示す。図１１の回覧装置８０にさらに記憶部１０４を追加している。記憶部１０４は、回覧情報管理装置２０から受信した回覧先や回覧順序を記憶する部分である。本実施形態では、入出力部８３に回覧先や回覧順序を表示する。
【０１１３】
回覧情報管理装置２０の構成例は、図１（あるいは図８の回覧情報管理装置５０）と同様である。本実施形態では、情報管理部２２は、第一から第五の実施形態の機能に加えて、情報閲覧端末４０から受信した回覧先情報（回覧先と回覧順序）を情報記憶部２３に記憶させる機能を持つ。また、回覧装置１００に対して回覧先情報を送信する。
【０１１４】
接続検知装置９０の構成例は、図１２と同様である。回覧情報送受信部９７は、回覧情報管理装置２０から受信した回覧先情報を回覧装置１００へ送信する。情報閲覧端末４０を接続検知装置９０経由で回覧情報管理装置２０に接続する場合には、接続検知装置９０の構成例に、さらに、図９の第三の接続部６４と中継制御部６５とを備える。
【０１１５】
このように回覧情報管理装置２０および接続検知装置９０を構成することによって、接続検知装置９０は、回覧装置１００との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置１００が接続する接続検知装置９０の情報を問い合わせることによって、回覧装置１００（回覧板）の回覧状況を容易に把握することが可能になる。
【０１１６】
また、情報閲覧端末４０を用いて設定した回覧先情報を回覧装置１００に表示させることによって、各世帯に必要な情報のみを回覧することが可能になる。
【０１１７】
次に、図１５に本実施形態の回覧情報管理システムにおける、回覧先情報設定動作の例を示す。
【０１１８】
非回覧中の回覧装置１００は、回覧板の管理者の世帯で管理されているとする。このとき、回覧装置１００は管理者世帯の接続検知装置９０と接続が確立し、接続検知装置９０と回覧情報管理装置２０とは通信可能な状態となる（ステップＳ４０１）。
【０１１９】
なお、非回覧中の回覧板が公民館や市役所等で管理されている場合には、管理者世帯の接続検知装置９０は、公民館や市役所等に設置された接続検知装置９０としても良い。
【０１２０】
接続検知装置９０は回覧情報管理装置２０に回覧装置１００と接続した旨の接続状況を送信する（ステップＳ４０２）。そして、回覧情報管理装置２０は情報記憶部２３に接続状況を記憶させる（ステップＳ４０３）。
【０１２１】
管理者が回覧先を登録する際には、まず、管理者が情報閲覧端末４０と回覧情報管理装置２０とを接続する（ステップＳ４０４）。情報閲覧端末４０と回覧情報管理装置２０との接続方法には、第三の実施形態のようにインターネット経由で接続する方法を用いても良いし、第四の実施形態にように接続検知装置経由で接続する方法を用いても良い。
【０１２２】
また、セキュリティを考慮して、回覧情報管理装置２０に接続する情報閲覧端末４０のＭＡＣアドレスやＩＭＥＩ番号を確認し、あらかじめ登録された情報閲覧端末４０のみを接続可能としても良い。また、情報閲覧端末４０が回覧情報管理装置２０へ接続する際にログイン認証を行っても良い。
【０１２３】
そして、管理者が情報閲覧端末４０を用いて、回覧先と回覧順序を含む回覧先情報を指定する（ステップＳ４０５）。回覧先情報で回覧先として指定する世帯は一つでも複数でも良い。また、回覧先情報とともに、管理者の世帯ＩＤを指定する。管理者の世帯ＩＤをあらかじめ情報閲覧端末４０に登録しておき、回覧先情報の指定時に回覧先情報とともに管理者の世帯ＩＤを回覧情報管理装置２０に送信するようにしても良い。
【０１２４】
情報閲覧端末４０から回覧先情報を受信したとき、回覧情報管理装置２０の情報管理部２２は、回覧先情報に回覧情報ＩＤを付与して情報記憶部２３に記憶させる（ステップＳ４０６）。回覧情報ＩＤは、回覧先情報を識別するためのＩＤである。他の回覧先情報と区別できるＩＤであれば、回覧情報ＩＤにはどのようなＩＤを付与しても良い。
【０１２５】
また、情報管理部２２では、管理者の世帯ＩＤから、管理者世帯に設置されている接続検知装置９０を特定する。たとえば、あらかじめ回覧情報管理装置２０に世帯ＩＤと接続検知装置９０の識別情報の対応関係である世帯ＩＤリストを格納しておく。そして、情報管理部２２は、管理者の世帯ＩＤに対応する接続検知装置９０の識別情報を世帯ＩＤリストから取得することで、管理者世帯に設置されている接続検知装置９０を特定する。
【０１２６】
なお、図４のように、回覧情報管理装置２０と接続検知装置９０との間に管理サーバ１があるシステム構成の場合には、管理サーバ１で世帯ＩＤリストを管理し、管理サーバ１にて管理者世帯に設置されている接続検知装置９０を特定しても良い。
【０１２７】
あるいは、情報閲覧端末４０が接続検知装置９０経由で回覧情報管理装置２０に接続している場合には、経由している接続検知装置９０を管理者世帯に設置されている接続検知装置９０として特定しても良い。
【０１２８】
また、情報管理部２２では、回覧先情報を設定する回覧装置１００を特定する。たとえば、あらかじめ回覧情報管理装置２０に回覧板ＩＤと回覧装置１００の識別情報との対応関係である回覧板ＩＤリストを格納しておく。そして、ステップＳ４０５において管理者が回覧板ＩＤを指定し、情報管理部２２は回覧板ＩＤリストを参照し、回覧板ＩＤに対応する回覧装置１００の識別情報を特定する。
【０１２９】
なお、図４のように、回覧情報管理装置２０と接続検知装置９０との間に管理サーバ１があるシステム構成の場合には、管理サーバ１で回覧板ＩＤリストを管理し、管理サーバ１にて回覧板ＩＤに対応する回覧装置１００を特定しても良い。
【０１３０】
あるいは、情報記憶部２３に記憶されている接続状況を利用しても良い。たとえば、ステップＳ４０３において、管理者世帯の接続検知装置９０と接続している回覧装置１００の情報が情報記憶部２３に記憶されている。そのため、管理者世帯の接続検知装置９０と接続している回覧装置１００を、回覧先情報を設定する回覧装置１００として特定しても良い。また、接続検知装置９０と接続する回覧装置１００が複数ある場合には、接続検知装置９０と接続中の回覧装置１００の回覧板ＩＤを情報閲覧端末４０に送信して、管理者に選択させるようにしても良い。
【０１３１】
あるいは、回覧情報管理装置２０で回覧先情報を設定する回覧装置１００を特定しなくても、接続検知装置９０が自身と接続している回覧装置１００へ回覧先情報を転送するようにしても良い。このとき、複数の回覧装置１００が接続検知装置９０と接続している場合に備えて、回覧装置１００の回覧板ＩＤを接続検知装置９０へ送信するようにすると良い。
【０１３２】
そして、回覧情報管理装置２０は、回覧先設定情報を管理者世帯に設置されている接続検知装置９０へ送信する（ステップＳ４０７）。回覧先設定情報には、回覧情報ＩＤと、回覧先情報とを含む。また、回覧先情報を設定する回覧装置１００を情報管理部２２で特定した場合には、回覧装置１００の識別情報も含む。また、接続検知装置９０が、接続検知装置９０に接続しているすべての回覧装置１００に回覧先情報を送信する場合には、回覧装置１００の回覧板ＩＤも含む。
【０１３３】
回覧先設定情報を受信した接続検知装置９０は、回覧先設定情報で指定された回覧装置１００へ回覧先情報を送信する（ステップＳ４０８）。回覧情報管理装置２０が回覧先情報を設定する回覧装置１００を指定していない場合には、接続検知装置９０は、接続検知装置９０と接続中のすべての回覧装置１００へ回覧先情報を送信する。このとき、接続検知装置９０が回覧先情報とともに回覧板ＩＤを送信すると、回覧装置１００は自身宛ての回覧先情報かどうかを判断して、自身宛てでない場合には回覧先情報を破棄する。
【０１３４】
そして、回覧装置１００は回覧先情報を記憶し、また、回覧先情報を入出力部８３に表示する（ステップＳ４０９）。
【０１３５】
このようにして、管理者が情報閲覧端末４０を用いて指定した回覧先情報を回覧装置１００上に表示させることが可能になる。これにより、情報を必要とする世帯だけに回覧板を回覧することが可能になる。また、回覧装置１００に表示されている回覧先情報を回覧情報管理装置２０でも記憶して管理するため、管理者は回覧先や回覧状況の確認が容易になる。
【０１３６】
次に、図１６を用いて、次の回覧先が不在だった場合など、回覧順序を変更する際の動作シーケンスの例について説明する。ここでは、次の回覧先が不在だった場合、次の回覧先とさらに次の回覧先の順序を入れ替えて回覧する際の動作シーケンス例について説明する。
【０１３７】
回覧装置１００は、回覧先として世帯Ａ、世帯Ｂ、世帯Ｃの世帯ＩＤを記憶し、また、回覧順序は、世帯Ａ、世帯Ｂ、世帯Ｃの順であるとする。また、世帯Ａ、世帯Ｂ、世帯Ｃには、それぞれ、接続検知装置９０Ａ、接続検知装置９０Ｂ、接続検知装置９０Ｃが設置されているとする。
【０１３８】
まず、世帯Ａが回覧装置１００を受け取ると、回覧装置１００と接続検知装置９０Ａとの接続が確立する（ステップＳ５０１）。回覧装置１００は、接続検知装置９０Ａとの接続が確立すると、回覧装置１００が存在する世帯Ａの回覧状況を回覧済みとして記憶する。
【０１３９】
回覧装置１００が存在する世帯の世帯ＩＤの特定方法としては、回覧情報管理装置２０へ問い合わせる方法がある。回覧情報管理装置２０では、あらかじめ、世帯ＩＤと接続検知装置９０の識別情報との対応関係である世帯ＩＤリストを記憶しておく。そして、回覧情報管理装置２０では、回覧装置１００が接続検知装置９０Ａに接続していることにより、回覧装置１００が世帯Ａに存在していることを特定する。あるいは、接続検知装置９０に世帯ＩＤを記憶させておき、回覧装置１００と接続検知装置９０との接続が確立したときに接続検知装置９０から回覧装置１００へ世帯ＩＤを通知するようにしても良い。
【０１４０】
そして、回覧装置１００が世帯Ａから出ると、接続検知装置９０Ａと回覧装置１００との接続が切れる（ステップＳ５０２）。
【０１４１】
この状態で、世帯Ｂが不在等で回覧装置１００を受け取れないとき、回覧装置１００を世帯Ｃに先に回覧するとする。このとき、利用者は、回覧装置１００上の操作キーを１回押下する（ステップＳ５０３）。
【０１４２】
この操作キーは、回覧順序を１世帯飛ばすことを意味するキーであり、１回押下するごとに１世帯飛ばすことを意味する。操作キーが複数回押下されたときは、押下回数と同じ世帯数を飛ばした先の世帯を、次の回覧先とする。たとえば、回覧順がＡＢＣＤで、ＢＣを飛ばすときは、ＡＤＢＣの順にするものとする。
【０１４３】
回覧装置１００は、ステップＳ５０１において、世帯Ａは回覧済みであることを記憶している。そのため、操作キーの押下により、回覧装置１００は、次の回覧先である世帯Ｂと、世帯Ｂの次の回覧先である世帯Ｃの順序を入れ替えて表示する（ステップＳ５０４）。その結果、表示される回覧順序は世帯Ａ、世帯Ｃ、世帯Ｂとなる。
【０１４４】
世帯Ｃが回覧装置１００を受け取ると、接続検知装置９０Ｃと回覧装置１００との接続が確立する（ステップＳ５０５）。
【０１４５】
回覧装置１００は、接続検知装置９０Ｃ経由で回覧情報管理装置２０へ回覧順序変更通知を送信する（ステップＳ５０６、Ｓ５０７）。回覧順序変更通知には、変更後の回覧先情報を含む。通知する回覧先情報としては、変更分だけを通知しても良いし、変更後のすべての回覧先情報を通知しても良い。
【０１４６】
回覧順序変更通知を受信した回覧情報管理装置２０は、情報記憶部２３の回覧先情報を更新する（ステップＳ５０８）。これにより、利用者が回覧装置１００を操作することで、回覧装置１００および回覧情報管理装置２０の回覧先情報を変更することができる。
【０１４７】
このように回覧情報管理装置２０および接続検知装置９０を動作させることによって、回覧装置１００（回覧板）の回覧状況を容易に把握することが可能になる。
【０１４８】
以上で説明したように、本発明の第六の実施形態では、第一から第五の実施形態と同様に、接続検知装置９０は、回覧装置１００との接続が確立したとき、回覧情報管理装置２０へ接続が確立した旨の接続状況を送信する。そして、接続状況を受信した回覧情報管理装置２０は接続状況を情報記憶部２３に記憶させる。そのため、利用者は、回覧情報管理装置２０へ回覧装置１００が接続する接続検知装置９０の情報を問い合わせることによって、回覧装置１００（回覧板）の回覧状況を容易に把握することが可能になる。
【０１４９】
また、管理者が情報閲覧端末を使用して登録した回覧先情報を回覧装置に表示させることにより、世帯ごとに必要な情報と不要な情報を区別して回覧することが可能になる。また、回覧装置が記憶している回覧先情報と同じ回覧情報を回覧情報管理装置に記憶させることにより、管理者は正確な回覧情報を把握することが可能になる。
【０１５０】
また、回覧装置が回覧先情報を変更して回覧情報管理装置に送信する機能を持つことにより、回覧装置に表示される回覧先情報および回覧情報管理装置が記憶する回覧先情報を変更することが可能になる。
【０１５１】
［第七の実施形態］
次に、本発明の第七の実施の形態について説明する。本実施形態は、第一から第六の実施形態に対して、電子的な回覧情報伝達手段を追加する形態である。
【０１５２】
紙媒体による回覧板は、多くの人が利用できる情報伝達手段である。しかし、移動が不自由な人や不在が多い世帯にとっては、回覧板の受け渡しが不便である。そのため、本実施形態では、電子的な回覧情報伝達手段を追加することにより、伝達情報や回覧先世帯に応じて紙媒体と電子媒体のいずれか最適な手段を選択して提供することを可能にする。
【０１５３】
図１７に本実施形態の回覧システムの構成例を示す。
【０１５４】
管理者は情報閲覧端末４０Ａを用いて回覧情報管理装置５０に回覧情報を登録する。本実施形態では、情報閲覧端末４０Ａはインターネット３経由で回覧情報管理装置５０と接続する構成とするが、管理者世帯の接続検知装置６０を経由して回覧情報管理装置５０と接続するように構成しても良い。
【０１５５】
また、回覧先世帯は、情報閲覧端末４０Ｂを用いて回覧情報管理装置５０の情報を参照する。本実施形態では、情報閲覧端末４０Ｂは回覧先世帯に設置された宅内表示装置であり、情報閲覧端末４０Ｂは接続検知装置６０を経由して回覧情報管理装置５０と接続することを前提に説明を行う。情報閲覧端末４０は、お年寄りにも見やすい大型表示部、および、容易に操作が可能な操作部を備える。また、新しい情報を受信した際に、ＬＥＤ点灯やスピーカ鳴動により利用者に通知することも可能である。
【０１５６】
なお、情報閲覧端末４０Ｂは、スマートフォンなどの情報端末であっても良く、情報閲覧端末４０Ａと同様にインターネット３経由で回覧情報管理装置５０と接続しても良い。また、情報閲覧端末４０Ｂと接続検知装置６０を一体化しても良い。
【０１５７】
回覧情報管理装置５０の構成例は、図８と同様である。回覧情報管理装置５０の情報管理部２２は、インターネット接続部５５経由で管理者が回覧情報を登録すると、その回覧情報を情報記憶部２３へ記憶させる。また、情報閲覧端末４０Ｂへ回覧情報を送信する。また、回覧情報を確認したことを示す確認情報や回覧回答を受信したときに、確認情報や回覧回答を情報記憶部２３に記憶させるようにしても良い。
【０１５８】
なお、情報閲覧端末４０Ｂが管理者世帯の接続検知装置６０を経由して回覧情報管理装置５０と接続する場合は、回覧情報管理装置は、図１の構成（回覧情報管理装置２０）であっても良い。
【０１５９】
接続検知装置６０の構成例は、図９と同様である。中継制御部６５は、回覧情報管理装置２０から受信した回覧情報を情報閲覧端末４０Ｂへ転送する。また、情報閲覧端末４０Ｂから受信した確認情報や回覧回答を回覧情報管理装置２０へ転送するようにしても良い。なお、情報閲覧端末４０Ｂがインターネット３経由で回覧情報管理装置５０と接続する場合には、接続検知装置は図１の構成（接続検知装置１０）であっても良い。
【０１６０】
このように回覧情報管理装置５０および接続検知装置６０を動作させることによって、回覧装置（回覧板）の回覧状況を容易に把握することが可能になる。
【０１６１】
また、回覧情報管理装置５０が、回覧情報を記憶し情報閲覧端末４０Ｂへ送信する機能を備えることによって、伝達情報や回覧先世帯に応じて紙媒体と電子媒体のいずれか最適な手段を選択して提供することが可能になる。
【０１６２】
次に、図１８を用いて、本実施形態の回覧情報管理システムの動作例について説明する。
【０１６３】
情報閲覧端末４０Ｂは本実施形態では接続検知装置６０とともに各世帯に設置された宅内表示装置である。そのため、情報閲覧端末４０Ｂと接続検知装置６０は接続が確立した状態である（ステップＳ６０１）。
【０１６４】
管理者が回覧情報を登録する際、まず、管理者が情報閲覧端末４０Ａを操作し、情報閲覧端末４０Ａと回覧情報管理装置５０との接続を確立する（ステップＳ６０２）。このとき、セキュリティを考慮して、回覧情報管理装置５０に接続する情報閲覧端末４０ＡのＭＡＣアドレスやＩＭＥＩ番号を確認し、あらかじめ登録された情報閲覧端末４０Ａのみを接続可能としても良い。また、情報閲覧端末４０Ａが回覧情報管理装置５０に接続する際にログイン認証を行っても良い。
【０１６５】
次に、管理者は、情報閲覧端末４０Ａを用いて回覧情報管理装置５０へ回覧情報を登録する（ステップＳ６０３）。
【０１６６】
回覧情報管理装置５０は、回覧情報を情報記憶部２３へ記憶させる（ステップＳ６０４）。このとき、回覧情報管理装置５０は、新規の回覧情報に対して回覧情報ＩＤを付与する。回覧情報ＩＤは、回覧情報を一意に識別するためのＩＤである。
【０１６７】
また、回覧情報管理装置５０は、回覧情報と回覧情報ＩＤとを接続検知装置６０へ送信する（ステップＳ６０５）。そして、接続検知装置６０は自身に接続する情報閲覧端末４０Ｂへ回覧情報と回覧情報ＩＤとを送信する（ステップＳ６０６）。
【０１６８】
情報閲覧端末４０Ｂは、回覧情報を受信すると、スピーカ鳴動やＬＥＤ点灯等によって、利用者へ回覧情報があることを通知し、また、表示部に回覧情報を表示する。
【０１６９】
各世帯の利用者は、回覧情報を確認すると、情報閲覧端末４０Ｂの確認キーを押下する等によって、確認操作を行う（ステップＳ６０７）。
【０１７０】
利用者が確認操作を行うと、情報閲覧端末４０Ｂは回覧情報を確認した旨を示す確認情報を接続検知装置６０へ送信する（ステップＳ６０８）。このとき、確認情報とともに、確認した回覧情報の回覧情報ＩＤを送信する。また、情報閲覧端末４０Ｂの識別情報も送信しても良い。
【０１７１】
接続検知装置６０は、確認情報を受信すると、回覧情報管理装置５０へ確認情報を送信する（ステップＳ６０９）。このとき、確認情報とともに、回覧情報ＩＤと、接続検知装置６０の識別情報を送信する。また、情報閲覧端末４０Ｂの識別情報も送信しても良い。
【０１７２】
確認情報を受信した回覧情報管理装置５０は、接続検知装置６０の識別情報と世帯ＩＤとを対応付けた世帯ＩＤリストを参照し、確認情報を送信した接続検知装置６０に対応する世帯ＩＤを特定する。あるいは、接続検知装置６０にあらかじめ世帯ＩＤを記憶させておき、確認情報とともに世帯ＩＤを接続検知装置６０から回覧情報管理装置５０へ送信しても良い。また、情報閲覧端末４０Ｂがインターネット３を経由して回覧情報管理装置５０に確認情報を送信する場合には、あらかじめ世帯ＩＤを情報閲覧端末４０Ｂに記憶させておき、確認情報とともに世帯ＩＤを回覧情報管理装置５０へ送信すると良い。
【０１７３】
そして、回覧情報管理装置５０は、どの世帯ＩＤが確認済みとなったかの確認状況を情報記憶部２３へ記憶させる（ステップＳ６１０）。
【０１７４】
管理者が、情報閲覧端末４０Ａを用いて回覧情報管理装置５０に確認状況の問い合わせを行ったとき（ステップＳ６１１）、回覧情報管理装置５０は情報閲覧端末４０Ａへ確認状況を送信する（ステップＳ６１２）。そして、情報閲覧端末４０Ａは確認状況を表示する（ステップＳ６１３）。
【０１７５】
なお、大型表示や簡易的なユーザインターフェースを必要としない利用者は、情報閲覧端末４０Ｂとして、宅内表示装置ではく、回覧板アプリをインストールしたスマートフォン等を使用することも可能である。
【０１７６】
また、回覧情報に回答が必要な場合（安否確認、出欠確認、注文数量回答、等）を行う場合）には、利用者が情報閲覧端末４０Ｂを操作することによって、回覧回答を確認情報と同様に回覧情報管理装置５０へ送信することも可能である。また、情報閲覧端末４０Ｂのどの操作キーを回答入力に使用させるかの情報を管理者が回覧情報管理装置５０に登録し、回覧情報として、回覧情報管理装置５０から情報閲覧端末４０Ｂに送信するようにしても良い。
【０１７７】
また、利用者が情報閲覧端末４０Ｂを用いて回覧情報管理装置５０へ回覧情報を問い合わせたときに、回覧情報管理装置５０から情報閲覧端末４０Ｂへ回覧情報を送信しても良い。また、このとき、利用者が確認できる情報をログインアカウントにより制限しても良い。たとえば、集計結果の参照は管理者権限があるアカウント（たとえば、自治会長・班長・隣保長）とする等である。
【０１７８】
また、回覧情報管理装置５０が定期的に安否確認用の回覧情報を接続検知装置６０へ送信し、回覧先の利用者が確認操作を行うことで安否確認を定期的に行うようにしても良い。
【０１７９】
また、ステップＳ６０３において、回覧先の世帯も登録できるようにしても良い。たとえば、管理者は、年齢、家族構成、地域等を指定して、回覧情報の回覧先の世帯を限定する。ここで回覧先の世帯として指定する世帯は一つでも複数でもよい。回覧先世帯の限定は、たとえば、以下のように実現できる。
【０１８０】
回覧先の世帯が登録されたとき、ステップＳ６０４において、回覧情報管理装置５０は、回覧情報と回覧情報ＩＤとともに、指定された回覧先の世帯ＩＤを情報記憶部２３へ記憶させる。また、回覧情報管理装置５０は、世帯ＩＤと接続検知装置６０の識別情報との対応関係を示す世帯ＩＤリストを参照して、回覧先の世帯ＩＤに対応する接続検知装置６０の識別情報を特定する。なお、回覧情報管理装置５０と接続検知装置６０とが管理サーバ１を経由して通信を行う場合には、管理サーバ１に世帯ＩＤリストを記憶させ、管理サーバ１にて世帯ＩＤに対応する接続検知装置６０を特定しても良い。
【０１８１】
次に、ステップＳ６０５で、回覧情報管理装置５０は回覧先の世帯ＩＤから特定された接続検知装置６０へ回覧情報を送信する。あるいは、ステップＳ６０４において、世帯ＩＤと情報閲覧端末４０Ｂの識別情報との対応関係を参照して、世帯ＩＤに対応する情報閲覧端末４０Ｂを特定し、情報閲覧端末４０Ｂが接続している接続検知装置６０へ回覧情報を送信するようにしても良い。
【０１８２】
このように回覧情報管理装置５０および接続検知装置６０を動作させることによって、回覧装置（回覧板）の回覧状況を容易に把握することが可能になる。
【０１８３】
また、回覧情報管理装置５０が、回覧情報を記憶し情報閲覧端末４０Ｂへ送信する機能を備えることによって、伝達情報や回覧先世帯に応じて紙媒体と電子媒体のいずれか最適な手段を選択して提供することが可能になる。
【０１８４】
以上で説明したように、本発明の第七の実施形態では、第一から第六の実施形態と同様に、接続検知装置６０は、回覧装置との接続が確立したとき、回覧情報管理装置５０へ接続が確立した旨の接続状況を送信する。そして、接続状況を受信した回覧情報管理装置５０は接続状況を情報記憶部２３に記憶させる。そのため、回覧情報管理装置５０へ回覧装置が接続する接続検知装置６０の情報を問い合わせることによって、回覧装置（回覧板）の回覧状況を容易に把握することが可能になる。
【０１８５】
また、回覧情報管理装置５０が、回覧情報を記憶し情報閲覧端末４０Ｂへ送信する機能を備えることによって、伝達情報や回覧先世帯に応じて紙媒体と電子媒体のいずれか最適な手段を選択して提供することが可能になる。
【０１８６】
また、情報閲覧端末４０Ｂと接続可能な接続検知装置６０を各世帯に配布することによって、インターネットへの接続回線を持たない世帯であっても、回覧情報を受信や、回覧回答の送信や、回覧情報の登録を行うことが可能になる。
【０１８７】
また、利用者に情報閲覧端末４０Ｂを用いて回覧回答を入力させることにより、管理者は、回覧回答の確認や集計を容易に行うことが可能になる。
【０１８８】
［第八の実施形態］
次に、本発明の第七の実施の形態について説明する。本実施形態は、接続検知装置として、各世帯に設置されている無線ＬＡＮのアクセスポイントを利用する形態である。
【０１８９】
接続検知装置として無線ＬＡＮのアクセスポイントを使用する場合、回覧装置や情報閲覧端末は、無線ＬＡＮのインフラストラクチャモードで接続検知装置と接続する。
【０１９０】
また、各世帯が設置した無線ＬＡＮアクセスポイントを接続検知装置として使用するため、接続検知装置としての利用開始前に世帯ＩＤと接続検知装置との対応関係を回覧情報管理装置に記憶させておくことができない。（接続検知装置を配布する場合は、配布前に世帯ＩＤと接続検知装置との対応関係を回覧情報管理装置に記憶させておくことができる。）
そのため、たとえば、使用開始前に、世帯ＩＤと世帯の位置情報を回覧情報管理装置に記憶させておく。そして、回覧装置は、接続検知装置との接続が確立したとき、自身の位置情報を取得して接続検知装置経由で回覧情報管理装置へ送信する。回覧情報管理装置では、回覧装置から送信された位置情報と世帯ＩＤと位置情報との対応関係とから回覧装置が存在する世帯ＩＤを特定する。回覧情報管理装置は、位置情報を転送した接続検知装置の識別情報と特定した世帯ＩＤとを対応付けて情報記憶部２３に記憶させ、以降は世帯ＩＤと接続検知装置の識別情報との対応関係を使用して世帯ＩＤを特定しても良い。
【０１９１】
図１９に本実施形態の回覧装置１１０の構成例を示す。回覧装置１１０は、無線通信部３１、制御部３２および測位部１１５により構成される。測位部１１５は自身の位置を測定する部分である。たとえば、ＧＰＳ（Global Positioning System）機能により位置を測定する。制御部３２では、接続検知装置との接続が確立したとき、測位部１１５が測定した位置情報を無線通信部３１経由で接続検知装置へ送信する。
【０１９２】
また、回覧情報管理装置の構成例は、図１あるいは図８と同様である。情報管理部２２において、上述の世帯ＩＤの特定を行う。
【０１９３】
また、接続検知装置の構成例は、図１、図９あるいは図１２と同様である。本実施形態の場合、第一の接続部１１の通信方式は無線ＬＡＮである。接続検知装置が図９の構成例の場合、第三の接続部６４の通信方式も無線ＬＡＮである。第二の接続部１２は有線ＬＡＮでインターネットに接続し、インターネット経由で回覧情報管理装置に接続する。接続状況送信部１３は、回覧装置１１０との接続が確立したとき、回覧装置１１０が回覧情報管理装置２０に向けて送信した接続状況（位置情報を含む）を転送する。
【０１９４】
このように接続検知装置および回覧情報管理装置を構成することによって、接続検知装置は、回覧装置１１０との接続が確立したとき、回覧情報管理装置へ接続が確立した旨の接続状況を送信する。そして、接続状況を受信した回覧情報管理装置は、回覧装置１１０の位置情報から回覧装置１１０が存在する世帯を特定し、情報記憶部２３に記憶させる。これにより、回覧情報管理装置は、問い合わせに応じて回覧装置１１０が存在する世帯の情報を出力することが可能になる。そのため、利用者は、回覧情報管理装置へ回覧装置１１０が存在する世帯の情報を問い合わせることによって、回覧装置１１０（回覧板）の回覧状況を容易に把握することが可能になる。
【０１９５】
また、各世帯で設置した無線ＬＡＮアクセスポイントを接続検知装置として使用することが可能になる。
【０１９６】
次に、図２０に本実施形態の回覧装置１１０、接続検知装置および回覧情報管理装置の動作例を示す。
【０１９７】
回覧装置１１０と接続検知装置の接続が確立すると（ステップＳ７０１）、回覧装置１１０は、接続が確立した旨を示し、また、位置情報を含む接続状況を回覧情報管理装置２０へ送信する（ステップＳ７０２、Ｓ７０３）。接続状況を受信した回覧情報管理装置は、位置情報から回覧装置１１０が存在する世帯（世帯ＩＤ）を特定し、情報記憶部２３に記憶させる（ステップＳ７０４）。
【０１９８】
回覧装置１１０と接続検知装置との接続が切断したとき、回覧装置１１０から接続が切れた旨の通知を送信しても接続検知装置に届かない状態となる。そのため、回覧装置１１０と接続検知装置との接続を確認するために、たとえば、回覧情報管理装置から回覧装置１１０へ定期的に接続確認を送信する（ステップＳ７０５、Ｓ７０６）。回覧装置１１０と接続検知装置の接続が継続していれば、回覧装置１１０は接続している旨の接続状況を回覧情報管理装置へ送信する（ステップＳ７０７、Ｓ７０８）。回覧装置１１０と接続検知装置との接続が切れると（ステップＳ７０９）、回覧情報管理装置が接続確認を送信しても（ステップＳ７１０）接続確認が回覧装置１１０へ届かなくなる（ステップＳ７１１）。接続確認を送信して所定時間経過しても接続状況を受信できなくなったとき、回覧情報管理装置は回覧装置１１０と接続検知装置との接続が切れたと判断して、その旨を情報記憶部２３に記憶させる（ステップＳ７１２）。
【０１９９】
このように接続検知装置および回覧情報管理装置を動作させることによって、利用者は、回覧装置１１０（回覧板）の回覧状況を容易に把握することが可能になる。
【０２００】
以上で説明したように、本発明の第八の実施形態では、接続検知装置は、回覧装置１１０との接続が確立したとき、回覧情報管理装置へ接続が確立した旨の接続状況を送信する。そして、接続状況を受信した回覧情報管理装置は、回覧装置１１０の位置情報から回覧装置１１０が存在する世帯を特定し、情報記憶部２３に記憶させる。これにより、回覧情報管理装置は、問い合わせに応じて回覧装置１１０が存在する世帯の情報を出力することが可能になる。そのため、利用者は、回覧情報管理装置へ回覧装置１１０が存在する世帯の情報を問い合わせることによって、回覧装置１１０（回覧板）の回覧状況を容易に把握することが可能になる。
【０２０１】
また、各世帯で設置した無線ＬＡＮアクセスポイントを接続検知装置として使用することが可能になる。
【０２０２】
［第九の実施形態］
次に、本発明の第九の実施の形態について説明する。本実施形態は、接続検知装置として、Ｂｌｕｅｔｏｏｔｈ（登録商標）機器を利用する形態である。Ｂｌｕｅｔｏｏｔｈは無線ＬＡＮに比べて電波の送信範囲が狭いため、マンションなどのように、各世帯が密集している場合に利用できる。
【０２０３】
たとえば、図４のように親局２と子局１０１を使用する場合、親局２と子局１０１との接続にＢｌｕｅｔｏｏｔｈのピコネットを使用する。親局２にはピコネットのマスター機器を、各子局１０１にはスレーブ機器を使用する。各スレーブ機器はマスター機器とＢｌｕｅｔｏｏｔｈで接続する。マスター機器は有線ＬＡＮやＬＴＥ（Long Term Evolution）等の通信手段により、ＡＳＰネットワーク４や携帯電話等の移動体通信事業者のネットワークを経由して回覧情報管理装置と通信する。このマスター機器を中心として、各世帯にピコネットのスレーブ機器を設置する。
【０２０４】
子局１０１（接続検知装置）と回覧装置、あるいは、子局１０１（接続検知装置）と情報閲覧端末４０との接続には、Ｂｌｕｅｔｏｏｔｈを使用しても、無線ＬＡＮを使用しても良い。
【０２０５】
接続検知装置（スレーブ機器）の識別情報と世帯ＩＤとの対応関係は、接続検知装置を各世帯に配布する前に、回覧情報管理装置に記憶させておくことが可能である。そのため、位置情報を使用しなくても、回覧装置と接続する接続検知装置かの識別情報から回覧装置の存在する世帯を特定可能である。
【０２０６】
接続方法以外の構成例および動作例は第一から第六の実施形態と同様とすることが可能なため、説明を省略する。
【０２０７】
なお、Ｂｌｕｅｔｏｏｔｈの代わりに、ＰＨＳ（Personal Handy-phone System）のトランシーバーモードを利用することも可能である。
【０２０８】
以上で説明したように、本発明の第九の実施形態では、第一から第七の実施形態と同様に、接続検知装置は、回覧装置との接続が確立したとき、回覧情報管理装置へ接続が確立した旨の接続状況を送信する。そして、接続状況を受信した回覧情報管理装置は接続状況を情報記憶部２３に記憶させる。そのため、回覧情報管理装置へ回覧装置が接続する接続検知装置の情報を問い合わせることによって、回覧装置（回覧板）の回覧状況を容易に把握することが可能になる。
【０２０９】
［第十の実施形態］
次に、本発明の第十の実施の形態について説明する。本実施形態は、移動体通信事業者が提供するＬＴＥや３Ｇ（3rd Generation）等のネットワークを利用する形態である。
【０２１０】
本実施形態では、接続検知装置として移動体通信ネットワークの基地局を利用する。回覧装置は、移動体通信ネットワークおよびインターネット３を経由して回覧情報管理装置と通信する。
【０２１１】
本実施形態では、基地局（接続検知装置）のカバー範囲が広いため、一つの接続検知装置に対して複数の世帯が対応する可能性がある。したがって、回覧装置の位置を接続検知装置の識別情報により特定することができない。そのため、あらかじめ回覧情報管理装置に位置情報と世帯ＩＤとの対応関係を記憶させておき、回覧装置１１０から送信された位置情報により回覧装置１１０が存在する世帯（世帯ＩＤ）を特定する。
【０２１２】
回覧装置１１０の構成例は、図１９と同様である。
【０２１３】
接続検知装置の構成例は、図１、図９あるいは図１２と同様である。第一の接続部１１は、移動体通信による通信を行い、第二の接続部１２はインターネット３と接続する。図９の構成例の場合、第三の接続部６４は移動体通信による通信を行う。接続状況送信部１３は、回覧装置１１０から接続状況を受信し、回覧情報管理装置へ送信する。
【０２１４】
回覧情報管理装置の構成例は、図１あるいは図８と同様である。情報管理部２２において、回覧装置１１０の位置情報から、回覧装置１１０が存在する世帯の世帯ＩＤを特定する。
【０２１５】
本実施形態の回覧装置１１０、接続検知装置および回覧情報管理装置の動作例については、第八の実施形態と同様のため、説明を省略する。
【０２１６】
以上で説明したように、本発明の第十の実施形態では、第八の実施形態と同様に、接続検知装置は、回覧装置１１０との接続が確立したとき、回覧情報管理装置へ接続が確立した旨の接続状況を送信する。そして、接続状況を受信した回覧情報管理装置は、回覧装置１１０の位置情報から回覧装置１１０が存在する世帯を特定し、情報記憶部２３に記憶させる。これにより、回覧情報管理装置は、問い合わせに応じて回覧装置１１０が存在する世帯の情報を出力することが可能になる。そのため、利用者は、回覧情報管理装置へ回覧装置１１０が存在する世帯の情報を問い合わせることによって、回覧装置１１０（回覧板）の回覧状況を容易に把握することが可能になる。
【０２１７】
また、回覧装置１１０が位置情報を取得する機能を備え、回覧情報管理装置が位置情報から世帯を特定することによって、接続検知装置として移動体通信ネットワークの基地局を利用することが可能になる。
【０２１８】
［ハードウェア構成例］
上述した本発明の各実施形態における回覧情報管理装置等を、一つの情報処理装置（コンピュータ）を用いて実現するハードウェア資源の構成例について説明する。回覧情報管理装置等は、接続検知装置（１０、６０、７０、９０）、回覧情報管理装置（２０、５０）あるいは回覧装置（３０、８０、１００、１１０）を指す。なお、回覧情報管理装置等は、物理的または機能的に少なくとも二つの情報処理装置を用いて実現してもよい。また、回覧情報管理装置等は、専用の装置として実現してもよい。また、回覧情報管理装置等の一部の機能のみを情報処理装置を用いて実現しても良い。
【０２１９】
図２１は、本発明の各実施形態の回覧情報管理装置等を実現可能な情報処理装置のハードウェア構成例を概略的に示す図である。情報処理装置１２０は、通信インタフェース１２１、入出力インタフェース１２２、演算装置１２３、記憶装置１２４および不揮発性記憶装置１２５およびドライブ装置１２６を備える。
【０２２０】
通信インタフェース１２１は、各実施形態の回覧情報管理装置等が、有線あるいは／および無線で外部装置と通信するための通信手段である。なお、回覧情報管理装置等を、少なくとも二つの情報処理装置を用いて実現する場合、それらの装置の間を通信インタフェース１２１経由で相互に通信可能なように接続しても良い。
【０２２１】
入出力インタフェース１２２は、入力デバイスの一例であるキーボードや、出力デバイスとしてのディスプレイ等のマンマシンインタフェースである。
【０２２２】
演算装置１２３は、汎用のＣＰＵ（Central Processing Unit）やマイクロプロセッサ等の演算処理装置である。演算装置１２３は、たとえば、不揮発性記憶装置１２５に記憶された各種プログラムを記憶装置１２４に読み出し、読み出したプログラムに従って処理を実行することが可能である。
【０２２３】
記憶装置１２４は、演算装置１２３から参照可能な、ＲＡＭ（Random Access Memory）等のメモリ装置であり、プログラムや各種データ等を記憶する。記憶装置１２４は、揮発性のメモリ装置であっても良い。
【０２２４】
不揮発性記憶装置１２５は、たとえば、ＲＯＭ（Read Only Memory）、フラッシュメモリ、等の、不揮発性の記憶装置であり、各種プログラムやデータ等を記録することが可能である。
【０２２５】
ドライブ装置１２６は、たとえば、後述する記録媒体１２７に対するデータの読み込みや書き込みを処理する装置である。
【０２２６】
記録媒体１２７は、たとえば、光ディスク、光磁気ディスク、半導体フラッシュメモリ等、データを記録可能な任意の記録媒体である。
【０２２７】
本発明の各実施形態は、たとえば、図２１に例示した情報処理装置１２０により回覧情報管理装置等を構成し、この回覧情報管理装置等に対して、上記各実施形態において説明した機能を実現可能なプログラムを供給することにより実現してもよい。
【０２２８】
この場合、回覧情報管理装置等に対して供給したプログラムを、演算装置１２３が実行することによって、実施形態を実現することが可能である。また、回覧情報管理装置等のすべてではなく、一部の機能を情報処理装置１２０で構成することも可能である。
【０２２９】
さらに、上記プログラムを記録媒体１２７に記録しておき、回覧情報管理装置等の出荷段階、あるいは運用段階等において、適宜上記プログラムが不揮発性記憶装置１２５に格納されるよう構成してもよい。なお、この場合、上記プログラムの供給方法は、出荷前の製造段階、あるいは運用段階等において、適当な治具を利用して回覧情報管理装置等内にインストールする方法を採用してもよい。また、上記プログラムの供給方法は、インターネット等の通信回線を介して外部からダウンロードする方法等の一般的な手順を採用してもよい。
【０２３０】
なお、上述する各実施の形態は、本発明の好適な実施の形態であり、本発明の要旨を逸脱しない範囲内において種々変更実施が可能である。
【０２３１】
上記の実施形態の一部または全部は、以下の付記のようにも記載されうるが、以下には限られない。
【０２３２】
（付記１）
少なくとも一つの接続検知装置と接続する検知装置接続部と、
前記接続検知装置と回覧装置との間の接続状況を記憶する情報記憶部と、
前記接続検知装置と前記回覧装置との間の前記接続状況を前記接続検知装置から受信したとき、前記接続状況を前記情報記憶部へ記憶させる情報管理部と、
問い合わせに応じて前記接続状況を出力する出力部と、
を備えることを特徴とする回覧情報管理装置。
【０２３３】
（付記２）
前記情報記憶部は、さらに、前記接続検知装置に対応する世帯情報を記憶し、
前記出力部は、前記問い合わせに応じて前記世帯情報を出力する
ことを特徴とする付記１に記載の回覧情報管理装置。
【０２３４】
（付記３）
前記情報管理部は、前記接続検知装置と前記回覧装置との前記接続状況を確認する接続確認を前記接続検知装置へ定期的に送信し、受信した前記接続状況を前記情報記憶部へ記憶させる
ことを特徴とする付記１あるいは付記２に記載の回覧情報管理装置。
【０２３５】
（付記４）
インターネットと接続するインターネット接続部をさらに備え、
前記出力部は、前記インターネット接続部経由で前記接続状況を出力する
ことを特徴とする付記１から付記３のいずれかに記載の回覧情報管理装置。
【０２３６】
（付記５）
前記情報管理部は、回覧板に対する回答や安否情報である回覧回答を受信したとき、前記回覧回答をさらに前記情報記憶部に記憶させ、
前記出力部は、前記問い合わせに応じて前記回覧回答を出力する
ことを特徴とする付記１から付記４のいずれかに記載の回覧情報管理装置。
【０２３７】
（付記６）
前記情報管理部は、前記回覧装置の回覧先世帯を示す回覧先情報を受信したとき、前記回覧先情報をさらに前記情報記憶部に記憶させ、前記回覧装置へ前記回覧先情報を送信する
ことを特徴とする付記１から付記５のいずれかに記載の回覧情報管理装置。
【０２３８】
（付記７）
前記情報管理部は、前記回覧装置から前記回覧先情報の変更通知を受信したとき、前記情報記憶部の前記回覧先情報を変更する
ことを特徴とする付記６に記載の回覧情報管理装置。
【０２３９】
（付記８）
前記情報管理部は、回覧情報を受信したとき、前記回覧情報をさらに前記情報記憶部に記憶させ、回覧対象の情報閲覧端末へ前記回覧情報を送信する
ことを特徴とする付記１から付記７のいずれかに記載の回覧情報管理装置。
【０２４０】
（付記９）
前記情報記憶部は、さらに、各世帯の世帯情報に対応する位置情報を記憶し、
前記情報管理部は、前記回覧装置から前記位置情報を受信したとき、前記位置情報に対応する前記世帯情報を特定し、
前記出力部は、前記問い合わせに応じて前記世帯情報を出力する
ことを特徴とする付記１から付記８のいずれかに記載の回覧情報管理装置。
【０２４１】
（付記１０）
回覧装置と接続する第一の接続部と、
回覧情報管理装置と接続する第二の接続部と、
前記回覧装置との前記接続が確立したとき、前記回覧装置との前記接続が確立した旨の接続状況を前記回覧情報管理装置へ送信する接続状況送信部と
を備えることを特徴とする接続検知装置。
【０２４２】
（付記１１）
前記接続状況送信部は、前記回覧装置との前記接続が切れたとき、前記回覧装置との前記接続が切れた旨の前記接続状況を前記回覧情報管理装置へ送信する
ことを特徴とする付記１０に記載の接続検知装置。
【０２４３】
（付記１２）
回覧板に関する情報を前記回覧情報管理装置と送受信する回覧情報送受信部
をさらに備えることを特徴とする付記１０あるいは付記１１に記載の接続検知装置。
【０２４４】
（付記１３）
前記回覧情報送受信部は、前記回覧情報管理装置と前記回覧装置との間で前記回覧装置の回覧先世帯を示す回覧先情報を送受信する
ことを特徴とする付記１２に記載の接続検知装置。
【０２４５】
（付記１４）
前記回覧情報送受信部は、前記回覧装置から回覧板に対する回答や安否情報である回覧回答を受信し、前記回覧回答を前記回覧情報管理装置へ送信する
ことを特徴とする付記１２あるいは付記１３に記載の接続検知装置。
【０２４６】
（付記１５）
情報閲覧端末と接続する第三の接続部と、
前記情報閲覧端末と前記回覧情報管理装置との間の通信を中継する中継制御部と
をさらに備える
ことを特徴とする付記１０から付記１４のいずれかに記載の接続検知装置。
【０２４７】
（付記１６）
前記回覧情報管理装置から回覧情報を受信し、前記情報閲覧端末へ送信する回覧情報送受信部
をさらに備えることを特徴とする付記１５に記載の接続検知装置。
【０２４８】
（付記１７）
前記回覧情報管理装置から回覧情報を受信して出力する入出力部
をさらに備えることを特徴とする付記１０から付記１６のいずれかに記載の接続検知装置。
【０２４９】
（付記１８）
前記入出力部は、回覧板に対する回答や安否情報である回覧回答を前記回覧情報管理装置へ送信する
ことを特徴とする付記１７に記載の接続検知装置。
【０２５０】
（付記１９）
物理媒体の回覧板とともに使用され、
接続検知装置と無線通信を行う無線通信部と、
前記接続検知装置との接続制御を行う制御部と
を備えることを特徴とする回覧装置。
【０２５１】
（付記２０）
前記制御部は、前記接続検知装置との接続が確立したとき、前記接続検知装置との接続が確立した旨の接続状況を前記接続検知装置へ送信する
ことを特徴とする付記１９に記載の回覧装置。
【０２５２】
（付記２１）
自身の位置を測定する測位部
をさらに備え、
前記制御部は、前記接続状況とともに前記位置の情報を送信する
ことを特徴とする付記１９あるいは付記２０に記載の回覧装置。
【０２５３】
（付記２２）
前記制御部は、前記接続検知装置との接続状況を確認する接続確認を受信したとき、前記接続検知装置との接続が確立中である旨の前記接続状況を送信する
ことを特徴とする付記１９から付記２１のいずれかに記載の回覧装置。
【０２５４】
（付記２３）
回覧板に対する回答や安否情報である回覧回答を受け付ける入出力部
をさらに備えることを特徴とする付記１９から付記２２のいずれかに記載の回覧装置。
【０２５５】
（付記２４）
前記回覧装置の回覧先世帯を示す回覧先情報を記憶する記憶部と、
前記回覧先情報を表示する入出力部と
をさらに備え、
前記制御部は、前記接続検知装置から前記回覧先情報を受信したとき、前記回覧先情報を前記記憶部に記憶させる
ことを特徴とする付記１９から付記２３のいずれかに記載の回覧装置。
【０２５６】
（付記２５）
前記入出力部は、前記回覧先情報の変更操作を受け付け、
前記制御部は、前記変更操作を受け付けたとき、前記記憶部の前記回覧先情報を変更し、前記接続検知装置へ前記変更を行った旨の変更通知を送信する
ことを特徴とする付記２４に記載の回覧装置。
【０２５７】
（付記２６）
付記１から付記９のいずれかに記載の回覧情報管理装置と、
前記接続検知装置と、
前記回覧装置と
を備えることを特徴とする回覧情報管理システム。
【０２５８】
（付記２７）
付記１０から付記１８のいずれかに記載の接続検知装置と、
前記回覧情報管理装置と、
前記回覧装置と
を備えることを特徴とする回覧情報管理システム。
【０２５９】
（付記２８）
少なくとも一つの接続検知装置と接続し、
前記接続検知装置と回覧装置との間の接続状況を前記接続検知装置から受信したとき、前記接続状況を記憶する情報記憶部へ前記接続状況を記憶させ、
問い合わせに応じて前記接続状況を出力する
ことを特徴とする回覧情報管理方法。
【０２６０】
（付記２９）
前記問い合わせに応じて前記接続検知装置に対応する世帯情報を出力する
ことを特徴とする付記２８に記載の回覧情報管理方法。
【０２６１】
（付記３０）
前記接続検知装置と前記回覧装置との前記接続状況を確認する接続確認を前記接続検知装置へ定期的に送信し、受信した前記接続状況を前記情報記憶部へ記憶させる
ことを特徴とする付記２８あるいは付記２９に記載の回覧情報管理方法。
【０２６２】
（付記３１）
インターネットと接続し、
前記インターネット経由で前記接続状況を出力する
ことを特徴とする付記２８から付記３０のいずれかに記載の回覧情報管理方法。
【０２６３】
（付記３２）
回覧板に対する回答や安否情報である回覧回答を受信したとき、前記回覧回答をさらに前記情報記憶部に記憶させ、
前記問い合わせに応じて前記回覧回答を出力する
ことを特徴とする付記２８から付記３１のいずれかに記載の回覧情報管理方法。
【０２６４】
（付記３３）
前記回覧装置の回覧先世帯を示す回覧先情報を受信したとき、前記回覧先情報をさらに前記情報記憶部に記憶させ、前記回覧装置へ前記回覧先情報を送信する
ことを特徴とする付記２８から付記３２のいずれかに記載の回覧情報管理方法。
【０２６５】
（付記３４）
前記回覧装置から前記回覧先情報の変更通知を受信したとき、前記情報記憶部の前記回覧先情報を変更する
ことを特徴とする付記３３に記載の回覧情報管理方法。
【０２６６】
（付記３５）
回覧情報を受信したとき、前記回覧情報をさらに前記情報記憶部に記憶させ、回覧対象の情報閲覧端末へ前記回覧情報を送信する
ことを特徴とする付記２８から付記３４のいずれかに記載の回覧情報管理方法。
【０２６７】
（付記３６）
前記情報記憶部は、さらに、各世帯の世帯情報に対応する位置情報を記憶し、
前記回覧情報管理方法は、前記回覧装置から前記位置情報を受信したとき、前記位置情報に対応する前記世帯情報を特定し、
前記問い合わせに応じて前記世帯情報を出力する
ことを特徴とする付記２８から付記３５のいずれかに記載の回覧情報管理方法。
【０２６８】
（付記３７）
回覧装置と接続し、
回覧情報管理装置と接続し、
前記回覧装置との前記接続が確立したとき、前記回覧装置との前記接続が確立した旨の接続状況を前記回覧情報管理装置へ送信する
ことを特徴とする接続検知方法。
【０２６９】
（付記３８）
前記回覧装置との前記接続が切れたとき、前記回覧装置との前記接続が切れた旨の前記接続状況を前記回覧情報管理装置へ送信する
ことを特徴とする付記３７に記載の接続検知方法。
【０２７０】
（付記３９）
回覧板に関する情報を前記回覧情報管理装置と送受信する
ことを特徴とする付記３７あるいは付記３８に記載の接続検知方法。
【０２７１】
（付記４０）
前記回覧情報管理装置と前記回覧装置との間で前記回覧装置の回覧先世帯を示す回覧先情報を送受信する
ことを特徴とする付記３９に記載の接続検知方法。
【０２７２】
（付記４１）
前記回覧装置から回覧板に対する回答や安否情報である回覧回答を受信し、前記回覧回答を前記回覧情報管理装置へ送信する
ことを特徴とする付記３９あるいは付記４０に記載の接続検知方法。
【０２７３】
（付記４２）
情報閲覧端末と接続し、
前記情報閲覧端末と前記回覧情報管理装置との間の通信を中継する
ことを特徴とする付記３７から付記４１のいずれかに記載の接続検知方法。
【０２７４】
（付記４３）
前記回覧情報管理装置から回覧情報を受信し、前記情報閲覧端末へ送信する
ことを特徴とする付記４２に記載の接続検知方法。
【０２７５】
（付記４４）
前記回覧情報管理装置から回覧情報を受信して出力する
ことを特徴とする付記３７から付記４３のいずれかに記載の接続検知方法。
【０２７６】
（付記４５）
回覧板に対する回答や安否情報である回覧回答を前記回覧情報管理装置へ送信する
ことを特徴とする付記４４に記載の接続検知方法。
【０２７７】
（付記４６）
物理媒体の回覧板とともに使用され、
接続検知装置と無線通信を行い、
前記接続検知装置との接続制御を行う
ことを特徴とする回覧装置制御方法。
【０２７８】
（付記４７）
前記接続検知装置との接続が確立したとき、前記接続検知装置との接続が確立した旨の接続状況を前記接続検知装置へ送信する
ことを特徴とする付記４６に記載の回覧装置制御方法。
【０２７９】
（付記４８）
自身の位置を測定し、
前記接続状況とともに前記位置の情報を送信する
ことを特徴とする付記４６あるいは付記４７に記載の回覧装置制御方法。
【０２８０】
（付記４９）
前記接続検知装置との接続状況を確認する接続確認を受信したとき、前記接続検知装置との接続が確立中である旨の前記接続状況を送信する
ことを特徴とする付記４６から付記４８のいずれかに記載の回覧装置制御方法。
【０２８１】
（付記５０）
回覧板に対する回答や安否情報である回覧回答を受け付ける
ことを特徴とする付記４６から付記４９のいずれかに記載の回覧装置制御方法。
【０２８２】
（付記５１）
前記回覧装置の回覧先世帯を示す回覧先情報を記憶し、
前記回覧先情報を表示し、
前記接続検知装置から前記回覧先情報を受信したとき、前記回覧先情報を前記記憶部に記憶させる
ことを特徴とする付記４６から付記５０のいずれかに記載の回覧装置制御方法。
【０２８３】
（付記５２）
前記回覧先情報の変更操作を受け付け、
前記変更操作を受け付けたとき、前記記憶部の前記回覧先情報を変更し、前記接続検知装置へ前記変更を行った旨の変更通知を送信する
ことを特徴とする付記５１に記載の回覧装置制御方法。
【０２８４】
（付記５３）
コンピュータに、
少なくとも一つの接続検知装置と接続する検知装置接続機能と、
前記接続検知装置と回覧装置との間の接続状況を前記接続検知装置から受信したとき、前記接続状況を記憶する前記情報記憶部へ前記接続状況を記憶させる情報管理機能と、
問い合わせに応じて前記接続状況を出力する出力機能と、
を実現させることを特徴とする回覧情報管理プログラム。
【０２８５】
（付記５４）
前記出力機能は、前記問い合わせに応じて前記接続検知装置に対応する世帯情報を出力する
ことを特徴とする付記５３に記載の回覧情報管理プログラム。
【０２８６】
（付記５５）
前記情報管理機能は、前記接続検知装置と前記回覧装置との前記接続状況を確認する接続確認を前記接続検知装置へ定期的に送信し、受信した前記接続状況を前記情報記憶部へ記憶させる
ことを特徴とする付記５３あるいは付記５４に記載の回覧情報管理プログラム。
【０２８７】
（付記５６）
コンピュータに、
インターネットと接続するインターネット接続機能
をさらに実現させ、
前記出力機能は、前記インターネット経由で前記接続状況を出力する
ことを特徴とする付記５３から付記５５のいずれかに記載の回覧情報管理プログラム。
【０２８８】
（付記５７）
前記情報管理機能は、回覧板に対する回答や安否情報である回覧回答を受信したとき、前記回覧回答をさらに前記情報記憶部に記憶させ、
前記出力機能は、前記問い合わせに応じて前記回覧回答を出力する
ことを特徴とする付記５３から付記５６のいずれかに記載の回覧情報管理プログラム。
【０２８９】
（付記５８）
前記情報管理機能は、前記回覧装置の回覧先世帯を示す回覧先情報を受信したとき、前記回覧先情報をさらに前記情報記憶部に記憶させ、前記回覧装置へ前記回覧先情報を送信する
ことを特徴とする付記５３から付記５７のいずれかに記載の回覧情報管理プログラム。
【０２９０】
（付記５９）
前記情報管理機能は、前記回覧装置から前記回覧先情報の変更通知を受信したとき、前記情報記憶部の前記回覧先情報を変更する
ことを特徴とする付記５８に記載の回覧情報管理プログラム。
【０２９１】
（付記６０）
前記情報管理機能は、回覧情報を受信したとき、前記回覧情報をさらに前記情報記憶部に記憶させ、回覧対象の情報閲覧端末へ前記回覧情報を送信する
ことを特徴とする付記５３から付記５９のいずれかに記載の回覧情報管理プログラム。
【０２９２】
（付記６１）
前記情報記憶部は、さらに、各世帯の世帯情報に対応する位置情報を記憶し、
前記情報管理機能は、前記回覧装置から前記位置情報を受信したとき、前記位置情報に対応する前記世帯情報を特定し、
前記出力機能は、前記問い合わせに応じて前記世帯情報を出力する
ことを特徴とする付記５３から付記６０のいずれかに記載の回覧情報管理プログラム。
【０２９３】
（付記６２）
コンピュータに、
回覧装置と接続する第一の接続機能と、
回覧情報管理装置と接続する第二の接続機能と、
前記回覧装置との前記接続が確立したとき、前記回覧装置との前記接続が確立した旨の接続状況を前記回覧情報管理装置へ送信する接続状況送信機能と
を実現させることを特徴とする接続検知プログラム。
【０２９４】
（付記６３）
前記接続状況送信機能は、前記回覧装置との前記接続が切れたとき、前記回覧装置との前記接続が切れた旨の前記接続状況を前記回覧情報管理装置へ送信する
ことを特徴とする付記６２に記載の接続検知プログラム。
【０２９５】
（付記６４）
コンピュータに、
回覧板に関する情報を前記回覧情報管理装置と送受信する回覧情報送受信機能
をさらに実現させることを特徴とする付記６２あるいは付記６３に記載の接続検知プログラム。
【０２９６】
（付記６５）
前記回覧情報送受信機能は、前記回覧情報管理装置と前記回覧装置との間で前記回覧装置の回覧先世帯を示す回覧先情報を送受信する
ことを特徴とする付記６４に記載の接続検知プログラム。
【０２９７】
（付記６６）
前記回覧情報送受信機能は、前記回覧装置から回覧板に対する回答や安否情報である回覧回答を受信し、前記回覧回答を前記回覧情報管理装置へ送信する
ことを特徴とする付記６４あるいは付記６５に記載の接続検知プログラム。
【０２９８】
（付記６７）
コンピュータに、
情報閲覧端末と接続する第三の接続機能と、
前記情報閲覧端末と前記回覧情報管理装置との間の通信を中継する中継制御機能と
をさらに実現させることを特徴とする付記６２から付記６６のいずれかに記載の接続検知プログラム。
【０２９９】
（付記６８）
コンピュータに、
前記回覧情報管理装置から回覧情報を受信し、前記情報閲覧端末へ送信する回覧情報送受信機能
をさらに実現させることを特徴とする付記６７に記載の接続検知プログラム。
【０３００】
（付記６９）
コンピュータに、
前記回覧情報管理装置から回覧情報を受信して出力する入出力機能
をさらに実現させることを特徴とする付記６２から付記６８のいずれかに記載の接続検知プログラム。
【０３０１】
（付記７０）
前記入出力機能は、回覧板に対する回答や安否情報である回覧回答を前記回覧情報管理装置へ送信する
ことを特徴とする付記６９に記載の接続検知プログラム。
【０３０２】
（付記７１）
物理媒体の回覧板とともに使用されるコンピュータに、
接続検知装置と無線通信を行う無線通信機能と、
前記接続検知装置との接続制御を行う制御機能と
を実現させることを特徴とする回覧装置プログラム。
【０３０３】
（付記７２）
前記制御機能は、前記接続検知装置との接続が確立したとき、前記接続検知装置との接続が確立した旨の接続状況を前記接続検知装置へ送信する
ことを特徴とする付記７１に記載の回覧装置プログラム。
【０３０４】
（付記７３）
コンピュータに、
自身の位置を測定する測位機能
をさらに実現させ、
前記制御機能は、前記接続状況とともに前記位置の情報を送信する
ことを特徴とする付記７１あるいは付記７２に記載の回覧装置プログラム。
【０３０５】
（付記７４）
前記制御機能は、前記接続検知装置との接続状況を確認する接続確認を受信したとき、前記接続検知装置との接続が確立中である旨の前記接続状況を送信する
ことを特徴とする付記７１から付記７３のいずれかに記載の回覧装置プログラム。
【０３０６】
（付記７５）
コンピュータに、
回覧板に対する回答や安否情報である回覧回答を受け付ける入出力機能
をさらに実現させることを特徴とする付記７１から付記７４のいずれかに記載の回覧装置プログラム。
【０３０７】
（付記７６）
コンピュータに、
前記回覧装置の回覧先世帯を示す回覧先情報を表示する入出力機能
をさらに実現させ、
前記制御機能は、前記接続検知装置から前記回覧先情報を受信したとき、前記回覧先情報を、前記回覧先情報を記憶する記憶部に記憶させる
ことを特徴とする付記７１から付記７５のいずれかに記載の回覧装置プログラム。
【０３０８】
（付記７７）
前記入出力機能は、前記回覧先情報の変更操作を受け付け、
前記制御機能は、前記変更操作を受け付けたとき、前記記憶部の前記回覧先情報を変更し、前記接続検知装置へ前記変更を行った旨の変更通知を送信する
ことを特徴とする付記７６に記載の回覧装置プログラム。
【符号の説明】
【０３０９】
１０、６０、７０、９０  接続検知装置
１１    第一の接続部
１２    第二の接続部
１３    接続状況送信部
６４    第三の接続部
６５    中継制御部
７６    入出力部
９７    回覧情報送受信部
２０、５０    回覧情報管理装置
２１    検知装置接続部
２２    情報管理部
２３    情報記憶部
２４、５４    出力部
５５    インターネット接続部
３０、８０、１００、１１０    回覧装置
３１    無線通信部
３２    制御部
８３    入出力部
１０４    記憶部
１１５    測位部
４０    情報閲覧端末
１２０    情報処理装置
１２１    通信インタフェース
１２２    入出力インタフェース
１２３    演算装置
１２４    記憶装置
１２５    不揮発性記憶装置
１２６    ドライブ装置
１２７    記録媒体
【図１】
0006538583.tif 000002
【図２】
0006538583.tif 000003
【図３】
0006538583.tif 000004
【図４】
0006538583.tif 000005
【図５】
0006538583.tif 000006
【図６】
0006538583.tif 000007
【図７】
0006538583.tif 000008
【図８】
0006538583.tif 000009
【図９】
0006538583.tif 000010
【図１０】
0006538583.tif 000011
【図１１】
0006538583.tif 000012
【図１２】
0006538583.tif 000013
【図１３】
0006538583.tif 000014
【図１４】
0006538583.tif 000015
【図１５】
0006538583.tif 000016
【図１６】
0006538583.tif 000017
【図１７】
0006538583.tif 000018
【図１８】
0006538583.tif 000019
【図１９】
0006538583.tif 000020
【図２０】
0006538583.tif 000021
【図２１】
0006538583.tif 000022